(57)【要約】【課題】第２回転機の単独駆動で走行する単独回転機走行から好適に機関を始動させる車両用動力伝達装置の制御装置を提供する。【解決手段】単独回転機走行からクラッチＣＬ１を係合してエンジン１２を始動させる際に、クラッチＣＬ１で発生する熱量ＱＬが所定値ＱＬ１以上の場合にはクラッチＣＬｃを係合してエンジン１２を始動させる。このため、熱量ＱＬが所定値ＱＬ１以上でありクラッチＣＬ１を係合してエンジン１２を始動させる際にクラッチＣＬ１で発生する摩擦熱によりクラッチＣＬ１の耐久性が低下する可能性が高い場合には、クラッチＣＬｃを係合してエンジン１２が始動させられる。熱量ＱＬが所定値ＱＬ１より小さくクラッチＣＬ１を係合してエンジン１２を始動させる際にクラッチＣＬ１で発生する摩擦熱によりクラッチＣＬ１の耐久性が低下する可能性が低い場合には、クラッチＣＬ１を係合してエンジン１２が始動させられる。【選択図】図２１
2019055719.tif 000002
【特許請求の範囲】
【請求項１】
第１回転要素と第２回転要素と第３回転要素とを含む第１差動機構と、第４回転要素と第５回転要素と第６回転要素とを含む第２差動機構と、前記第１回転要素から前記第３回転要素のいずれか２つを係合する第１係合要素と、前記第２回転要素と前記第４回転要素および前記第５回転要素のうちのいずれか一方の回転要素とを係合する第２係合要素と、を備え、前記第３回転要素は前記第６回転要素に連結され、前記第５回転要素は出力軸に連結され、前記第１回転要素は機関に連結され、前記第４回転要素は第１回転機に連結され、前記出力軸は第２回転機に連結された車両用動力伝達装置の、制御装置であって、
前記第１係合要素および前記第２係合要素をそれぞれ解放して前記第２回転機の単独駆動で走行する単独回転機走行から、前記第１係合要素または前記第２係合要素のいずれか一方を係合して前記機関を始動させる際に、前記第１係合要素または前記第２係合要素のいずれか一方の係合要素で発生する熱量が所定値以上の場合には、前記第１係合要素または前記第２係合要素のいずれか他方の係合要素を係合して前記機関を始動させることを特徴とする車両用動力伝達装置の制御装置。
【発明の詳細な説明】
【技術分野】
【０００１】
本発明は、第１差動機構と第２差動機構とを備えた車両用動力伝達装置の、制御装置において、第１係合要素および第２係合要素をそれぞれ解放して第２回転機の単独駆動で走行する単独回転機走行から、第１係合要素または第２係合要素のいずれか一方の係合要素を係合して機関を始動させる技術に関する。
【背景技術】
【０００２】
第１回転要素と第２回転要素と第３回転要素とを含む第１差動機構と、第４回転要素と第５回転要素と第６回転要素とを含む第２差動機構と、を備えた車両用動力伝達装置が良く知られている。例えば、特許文献１に記載された車両用動力伝達装置がそれである。この特許文献１に記載された車両用動力伝達装置では、差動状態が制御される差動部（第２差動機構に相当）と、エンジンと差動部との間の動力伝達経路に、ローとハイとの２段の切替えが可能な変速部（第１差動機構に相当）とを備えることが開示されている。
【先行技術文献】
【特許文献】
【０００３】
【特許文献１】国際公開第２０１３／１１４５９４号
【発明の概要】
【発明が解決しようとする課題】
【０００４】
ところで、特許文献１の車両用動力伝達装置では、第１差動機構と第２差動機構との連結状態を変更する係合要素を追加することで、エンジン（機関）を駆動（始動）させて走行（エンジン駆動走行）できる走行モードを複数形成することが可能であると考えられるが、例えば、第２回転機の単独駆動で走行する単独回転機走行からエンジン駆動走行に移行する際のエンジンの始動方法に関して、検討の余地がある。
【０００５】
本発明は、以上の事情を背景として為されたものであり、その目的とするところは、第２回転機の単独駆動で走行する単独回転機走行から好適に機関を始動させることのできる車両用動力伝達装置の制御装置を提供することにある。
【課題を解決するための手段】
【０００６】
第１の発明の要旨とするところは、（ａ）第１回転要素と第２回転要素と第３回転要素とを含む第１差動機構と、第４回転要素と第５回転要素と第６回転要素とを含む第２差動機構と、前記第１回転要素から前記第３回転要素のいずれか２つを係合する第１係合要素と、前記第２回転要素と前記第４回転要素および前記第５回転要素のうちのいずれか一方の回転要素とを係合する第２係合要素と、を備え、前記第３回転要素は前記第６回転要素に連結され、前記第５回転要素は出力軸に連結され、前記第１回転要素は機関に連結され、前記第４回転要素は第１回転機に連結され、前記出力軸は第２回転機に連結された車両用動力伝達装置の、制御装置であって、（ｂ）前記第１係合要素および前記第２係合要素をそれぞれ解放して前記第２回転機の単独駆動で走行する単独回転機走行から、前記第１係合要素または前記第２係合要素のいずれか一方を係合して前記機関を始動させる際に、前記第１係合要素または前記第２係合要素のいずれか一方の係合要素で発生する熱量が所定値以上の場合には、前記第１係合要素または前記第２係合要素のいずれか他方の係合要素を係合して前記機関を始動させることにある。
【発明の効果】
【０００７】
前記第１の発明によれば、前記第１係合要素および前記第２係合要素をそれぞれ解放して前記第２回転機の単独駆動で走行する単独回転機走行から、前記第１係合要素または前記第２係合要素のいずれか一方を係合して前記機関を始動させる際に、前記第１係合要素または前記第２係合要素のいずれか一方の係合要素で発生する熱量が所定値以上の場合には、前記第１係合要素または前記第２係合要素のいずれか他方の係合要素を係合して前記機関を始動させる。このため、前記一方の係合要素で発生する熱量が所定値以上であり前記一方の係合要素を係合して前記機関を始動させる際に前記一方の係合要素で発生する摩擦熱によって前記一方の係合要素の耐久性が低下する可能性が高い場合には、前記第１係合要素または前記第２係合要素のいずれか他方の係合要素を係合して前記機関が始動させられる。また、前記一方の係合要素で発生する熱量が所定値より小さく前記一方の係合要素を係合して前記機関を始動させる際に前記一方の係合要素で発生する摩擦熱によって前記一方の係合要素の耐久性が低下する可能性が低い場合には、前記一方の係合要素を係合して前記機関が始動させられる。これによって、前記一方の係合要素の耐久性が低下することを抑制しつつ前記第２回転機の単独駆動で走行する単独回転機走行から好適に前記機関を始動させることができる。
【図面の簡単な説明】
【０００８】
【図１】本発明が適用される車両の走行に関わる各部の概略構成を説明する図であると共に、その各部を制御する為の制御系統の要部を説明する図である。
【図２】係合要素の作動状態を制御する油圧制御回路の一例を示す図である。
【図３】各走行モードにおける各係合要素の各作動状態を示す図表である。
【図４】単独駆動ＥＶモード（前進）時の共線図である。
【図５】単独駆動ＥＶモード（後進）時の共線図である。
【図６】両駆動ＥＶモード（前進）時の共線図である。
【図７】両駆動ＥＶモード（後進）時の共線図である。
【図８】Ｕ／Ｄインプットスプリットでのスタンバイモード時の共線図である。
【図９】Ｏ／Ｄインプットスプリットでのスタンバイモード時の共線図である。
【図１０】Ｕ／Ｄインプットスプリットでのエンブレ併用モード時の共線図である。
【図１１】Ｏ／Ｄインプットスプリットでのエンブレ併用モード時の共線図である。
【図１２】ＨＶ走行モードのＵ／ＤＨＶモード時の前進走行での共線図である。
【図１３】ＨＶ走行モードのＯ／ＤＨＶモード時の前進走行での共線図である。
【図１４】ＨＶ走行モードのＵ／ＤＨＶモード時の後進走行での共線図であり、エンジン逆転入力の場合である。
【図１５】ＨＶ走行モードのＵ／ＤＨＶモード時の後進走行での共線図であり、エンジン正転入力の場合である。
【図１６】ＨＶ走行モードのＯ／ＤＨＶモード時の後進走行での共線図であり、エンジン正転入力の場合である。
【図１７】ＨＶ走行モードの固定段モード時の共線図であり、直結の場合である。
【図１８】ＨＶ走行モードの固定段モード時の共線図であり、出力軸固定の場合である。
【図１９】エンジン走行とモータ走行との切替制御に用いる走行モード切替マップの一例を示す図であって、バッテリ容量を保持した状態で走行する場合である。
【図２０】エンジン走行とモータ走行との切替制御に用いる走行モード切替マップの一例を示す図であって、バッテリ容量を消費しながら走行する場合である。
【図２１】電子制御装置の制御作動の要部すなわち第１係合要素および第２係合要素をそれぞれ解放して第２回転機の単独駆動で走行する単独回転機走行からエンジンを始動させる場合における制御作動を説明するフローチャートである。
【図２２】図２１のフローチャートが実行された場合のタイムチャートの一例を示す図である。
【発明を実施するための形態】
【０００９】
本発明の一実施形態において、前記単独回転機走行から前記第１係合要素を係合して前記機関を始動させる際において、前記第１係合要素および前記第２係合要素のそれぞれで発生する熱量が所定値以上となる場合には、前記第１回転機により前記第１係合要素の差回転を抑制させる第１同期制御の実施後に前記第１係合要素を係合して、前記第１回転機により前記機関を始動させる。このため、前記第１係合要素および前記第２係合要素のそれぞれで発生する熱量が所定値以上であり、前記第１係合要素または前記第２係合要素の係合要素を係合して前記機関を始動させる際に前記第１係合要素または前記第２係合要素で発生する摩擦熱によって前記第１係合要素または前記第２係合要素の耐久性が低下する可能性が高い場合には、前記第１同期制御の実施後に前記第１係合要素を係合して前記第１回転機により前記機関が始動させられる。
【００１０】
また、本発明の一実施形態において、前記単独回転機走行から前記第２係合要素を係合して前記機関を始動させる際において、前記第１係合要素および前記第２係合要素のそれぞれで発生する熱量が所定値以上となる場合には、前記第１回転機により前記第２係合要素の差回転を抑制させる第２同期制御の実施後に前記第２係合要素を係合して、前記第１回転機により前記機関を始動させる。このため、前記第１係合要素および前記第２係合要素のそれぞれで発生する熱量が所定値以上であり、前記第１係合要素または前記第２係合要素の係合要素を係合して前記機関を始動させる際に前記第１係合要素または前記第２係合要素で発生する摩擦熱によって前記第１係合要素または前記第２係合要素の耐久性が低下する可能性が高い場合には、前記第２同期制御の実施後に前記第２係合要素を係合して前記第１回転機により前記機関が始動させられる。
【００１１】
以下、本発明の実施例を図面を参照して詳細に説明する。
【実施例１】
【００１２】
図１は、本発明が適用される車両１０の走行に関わる各部の概略構成を説明する図であると共に、その各部を制御する為の制御系統の要部を説明する図である。図１において、車両１０は、走行用の動力源となり得る、エンジン（機関）１２、第１回転機ＭＧ１、及び第２回転機ＭＧ２と、動力伝達装置（車両用動力伝達装置）１４と、駆動輪１６とを備えるハイブリッド車両である。
【００１３】
エンジン１２は、例えばガソリンエンジンやディーゼルエンジン等、所定の燃料を燃焼させて動力を出力する公知の内燃機関である。このエンジン１２は、後述する電子制御装置９０によってスロットル開度或いは吸入空気量、燃料供給量、点火時期等の運転状態が制御されることにより、エンジントルクＴeが制御される。
【００１４】
第１回転機ＭＧ１及び第２回転機ＭＧ２は、駆動トルクを発生させる電動機（モータ）としての機能及び発電機（ジェネレータ）としての機能を有する所謂モータジェネレータである。第１回転機ＭＧ１及び第２回転機ＭＧ２は、インバータ部や平滑コンデンサなどを有する車両１０に備えられた電力制御ユニット５０を介して、各々電力を授受する蓄電装置としての車両１０に備えられたバッテリユニット５２に接続されており、後述する電子制御装置９０によって電力制御ユニット５０が制御されることにより、第１回転機ＭＧ１及び第２回転機ＭＧ２の各々の出力トルク（力行トルク又は回生トルク）であるＭＧ１トルクＴg及びＭＧ２トルクＴmが制御される。
【００１５】
動力伝達装置１４は、エンジン１２と駆動輪１６との間の動力伝達経路に備えられている。動力伝達装置１４は、車体に取り付けられる非回転部材であるケース１８内に、第１回転機ＭＧ１、第２回転機ＭＧ２、第１動力伝達部２０、第２動力伝達部２２等を備えている。又、動力伝達装置１４は、第１動力伝達部２０の出力回転部材である出力軸２４に連結されたプロペラシャフト２６、プロペラシャフト２６に連結されたドライブピニオン２８、デフリングギヤ３０を介してドライブピニオン２８と噛み合うディファレンシャルギヤ３２、ディファレンシャルギヤ３２に連結されたドライブシャフト３４等を備えている。
【００１６】
第１動力伝達部２０は、エンジン１２のクランク軸に連結された、第１動力伝達部２０の入力回転部材である入力軸３６と同軸心に配置されており、第１差動機構３８、第２差動機構４０、第１回転機ＭＧ１、クラッチ（第１係合要素）ＣＬ１、ブレーキ（第３係合要素）ＢＲ１、及びクラッチ（第２係合要素）ＣＬｃ等を備えている。
【００１７】
第１差動機構３８は、第１サンギヤＳ１、互いに噛み合う複数対の第１ピニオンギヤＰ１ａ，Ｐ１ｂ、第１ピニオンギヤＰ１ａ，Ｐ１ｂを自転及び公転可能に支持する第１キャリアＣ１、第１ピニオンギヤＰ１ａ，Ｐ１ｂを介して第１サンギヤＳ１と噛み合う第１リングギヤＲ１を有する公知のダブルピニオン型の遊星歯車機構であり、差動作用を生じる差動機構として機能する。第１差動機構３８は、例えば歯車比ρ１（歯車比ρについては後述）を適切にすることを考慮してダブルピニオン型の遊星歯車機構を採用している。又、第２差動機構４０は、第２サンギヤＳ２、第２ピニオンギヤＰ２、第２ピニオンギヤＰ２を自転及び公転可能に支持する第２キャリアＣ２、第２ピニオンギヤＰ２を介して第２サンギヤＳ２と噛み合う第２リングギヤＲ２を有する公知のシングルピニオン型の遊星歯車機構であり、差動作用を生じる差動機構として機能する。
【００１８】
第１差動機構３８において、第１キャリアＣ１は、入力軸３６に一体的に連結され、その入力軸３６を介してエンジン１２が動力伝達可能に連結された第１回転要素ＲＥ１であり、第１差動機構３８の入力回転部材として機能する。第１リングギヤＲ１は、ブレーキＢＲ１を介してケース１８に選択的に連結される第２回転要素ＲＥ２である。第１サンギヤＳ１は、第２差動機構４０の入力回転部材（すなわち第２差動機構４０の第２リングギヤＲ２）に連結された第３回転要素ＲＥ３であり、第１差動機構３８の出力回転部材として機能する。
【００１９】
第２差動機構４０において、第２サンギヤＳ２は、第１回転機ＭＧ１のロータ軸４２に一体的に連結されており、第１回転機ＭＧ１が動力伝達可能に連結された反力要素としての第４回転要素ＲＥ４である。第２キャリアＣ２は、出力軸２４に連結されており（すなわち出力軸２４と一体回転するように設けられており）、駆動輪１６に連結された出力要素としての第５回転要素ＲＥ５であり、第２差動機構４０の出力回転部材として機能する。第２リングギヤＲ２は、第１差動機構３８の出力回転部材（すなわち第１差動機構３８の第１サンギヤＳ１）に連結された入力要素としての第６回転要素ＲＥ６であり、第２差動機構４０の入力回転部材として機能する。
【００２０】
第１キャリアＣ１と第１リングギヤＲ１とは、クラッチＣＬ１を介して選択的に連結される。又、第１リングギヤＲ１と第２キャリアＣ２とは、クラッチＣＬｃを介して選択的に連結される。よって、クラッチＣＬ１は、第１回転要素ＲＥ１と第２回転要素ＲＥ２とを選択的に連結する第１係合要素である。又、クラッチＣＬｃは、第２回転要素ＲＥ２と第５回転要素ＲＥ５とを選択的に連結する第２係合要素である。又、ブレーキＢＲ１は、第２回転要素ＲＥ２をケース１８に選択的に連結する第３係合要素である。クラッチＣＬ１、ブレーキＢＲ１、及びクラッチＣＬｃは、好適には何れも湿式の摩擦係合装置であり、油圧アクチュエータによって係合制御される多板型の油圧式摩擦係合装置である。
【００２１】
図２は、各係合要素（クラッチＣＬ１、ブレーキＢＲ１、クラッチＣＬｃ）の作動状態（係合や解放などの状態）を制御する、車両１０に備えられた油圧制御回路６０の要部の一例を示す図である。図２において、油圧制御回路６０は、プライマリレギュレータバルブ６２、及びリニアソレノイドバルブＳＬ１，ＳＬ２，ＳＬ３等を備えている。プライマリレギュレータバルブ６２は、車両１０に備えられた機械式のオイルポンプ６４（ＭＯＰ６４ともいう）が発生する油圧を元圧として、又は、車両１０に備えられた電動式のオイルポンプ６６（ＥＯＰ６６ともいう）が発生する油圧を元圧として、ライン油圧ＰＬを調圧する。ＭＯＰ６４は、エンジン１２の回転に伴って回転する、動力伝達装置１４の何れかの回転部材（回転要素も同意）に連結されており、エンジン１２よって駆動されることで油圧を供給する。ＥＯＰ６６は、例えばンジン１２の回転停止時（例えばエンジン１２の運転を停止したモータ走行時）に、後述する電子制御装置９０によって駆動されることで油圧を供給する。リニアソレノイドバルブＳＬ１は、ライン油圧ＰＬを元圧として、クラッチＣＬ１に供給する係合油圧（ＣＬ１油圧Ｐcl1ともいう）を調圧する。リニアソレノイドバルブＳＬ２は、ライン油圧ＰＬを元圧として、ブレーキＢＲ１に供給する係合油圧（ＢＲ１油圧Ｐbr1ともいう）を調圧する。リニアソレノイドバルブＳＬ３は、ライン油圧ＰＬを元圧として、クラッチＣＬｃに供給する係合油圧（ＣＬｃ油圧Ｐclcともいう）を調圧する。リニアソレノイドバルブＳＬ１，ＳＬ２，ＳＬ３は、基本的には何れも同じ構成であり、電子制御装置９０によりそれぞれ独立に励磁、非励磁や電流制御が為され、各油圧Ｐcl1，Ｐbr1，Ｐclcを独立に調圧する。各係合要素（クラッチＣＬ１、ブレーキＢＲ１、クラッチＣＬｃ）は、油圧制御回路６０から各々供給される各油圧Ｐcl1，Ｐbr1，Ｐclcに応じて作動状態が切り替えられる。
【００２２】
図１に戻り、第１差動機構３８は、クラッチＣＬ１及びブレーキＢＲ１の各作動状態を切り替えることにより、直結状態、エンジン１２の逆回転変速状態、ニュートラル状態（中立状態）、及び内部ロック状態の４つの状態を形成することが可能である。具体的には、第１差動機構３８は、クラッチＣＬ１の係合状態では、第１差動機構３８の各回転要素が一体回転される直結状態とされる。又、第１差動機構３８は、ブレーキＢＲ１の係合状態では、第１リングギヤＲ１の回転がゼロ［rpm］とされ、エンジン回転速度Ｎeの正回転に対して第１サンギヤＳ１（第１差動機構３８の出力回転部材）が負回転となるエンジン１２の逆回転変速状態とされる。又、第１差動機構３８は、クラッチＣＬ１の解放状態且つブレーキＢＲ１の解放状態では、第１差動機構３８の差動が許容されるニュートラル状態とされる。又、第１差動機構３８は、クラッチＣＬ１の係合状態且つブレーキＢＲ１の係合状態では、第１差動機構３８の各回転要素が回転停止となる内部ロック状態とされる。
【００２３】
第２差動機構４０は、差動が許容される状態では、第２リングギヤＲ２に入力されるエンジン１２の動力を第１回転機ＭＧ１及び第２キャリアＣ２へ分割（分配も同意）する動力分割機構として機能することが可能である。よって、車両１０では、第２リングギヤＲ２に入力されるエンジントルクＴeの反力を第１回転機ＭＧ１にて取ることにより、第２キャリアＣ２へ機械的に伝達される直達トルク（エンジン直達トルクともいう）と、第１回転機ＭＧ１に分割された動力による第１回転機ＭＧ１の発電電力で駆動される第２回転機ＭＧ２によるＭＧ２トルクＴmとでエンジン走行することが可能である。これにより、第２差動機構４０は、後述する電子制御装置９０によって電力制御ユニット５０が制御されて第１回転機ＭＧ１の運転状態が制御されることによりギヤ比（変速比）を制御する公知の電気式差動部（電気式無段変速機）として機能する。つまり、第２差動機構４０は、第１回転機ＭＧ１の運転状態が制御されることにより差動状態が制御される電気式変速機構である。
【００２４】
第１動力伝達部２０では、第２差動機構４０における動力分割比とは異なる動力分割比にて作動する電気式無段変速機を構成することが可能である。すなわち、第１動力伝達部２０では、第１サンギヤＳ１（第３回転要素ＲＥ３）と第２リングギヤＲ２（第６回転要素ＲＥ６）とが連結されていることに加え、クラッチＣＬｃを係合状態とすることによって第１リングギヤＲ１（第２回転要素ＲＥ２）と第２キャリアＣ２（第５回転要素ＲＥ５）とが連結されることで、第１差動機構３８と第２差動機構４０とで１つの差動機構を構成し、第１差動機構３８と第２差動機構４０との全体を、第２差動機構４０単独での動力分割比とは異なる動力分割比にて作動する電気式無段変速機として機能させることが可能となる。
【００２５】
第１動力伝達部２０では、上述した４つの状態が形成される第１差動機構３８と、第２差動機構４０とが連結されており、車両１０は、クラッチＣＬｃの作動状態の切替えと合わせて、後述する複数の走行モードを実現することが可能となる。
【００２６】
このように構成された第１動力伝達部２０においては、エンジン１２の動力や第１回転機ＭＧ１の動力は出力軸２４へ伝達される。従って、エンジン１２及び第１回転機ＭＧ１は、第１動力伝達部２０を介して駆動輪１６に動力伝達可能に連結される。
【００２７】
第２動力伝達部２２は、入力軸３６（又は出力軸２４）と同軸心に配置されており、第２回転機ＭＧ２、及び出力軸２４に連結されたリダクション機構４４を備えている。リダクション機構４４は、第３サンギヤＳ３、第３ピニオンギヤＰ３、第３ピニオンギヤＰ３を自転及び公転可能に支持する第３キャリアＣ３、第３ピニオンギヤＰ３を介して第３サンギヤＳ３と噛み合う第３リングギヤＲ３を有する公知のシングルピニオン型の遊星歯車機構である。第３サンギヤＳ３は、第２回転機ＭＧ２のロータ軸４６に連結された入力要素である。第３リングギヤＲ３は、ケース１８に連結された反力要素である。第３キャリアＣ３は、出力軸２４に連結された出力要素である。このように構成されたリダクション機構４４は、ＭＧ２回転速度Ｎmを減速して出力軸２４に伝達する。これにより、第２動力伝達部２２においては、第２回転機ＭＧ２の動力は第１動力伝達部２０を介すことなく出力軸２４へ伝達される。従って、第２回転機ＭＧ２は、第１動力伝達部２０を介さずに駆動輪１６に動力伝達可能に連結される。つまり、第２回転機ＭＧ２は、第１動力伝達部２０を介さずに動力伝達装置１４の出力回転部材であるドライブシャフト３４に動力伝達可能に連結された回転機である。尚、動力伝達装置１４の出力回転部材は、駆動輪１６と連結される出力回転部材であり、ドライブシャフト３４の他に、出力軸２４やプロペラシャフト２６なども同意である。
【００２８】
このように構成された動力伝達装置１４は、ＦＲ（フロントエンジン・リヤドライブ）方式の車両に好適に用いられる。又、動力伝達装置１４では、エンジン１２の動力や第１回転機ＭＧ１の動力や第２回転機ＭＧ２の動力は、出力軸２４へ伝達され、その出力軸２４から、ディファレンシャルギヤ３２、ドライブシャフト３４等を順次介して駆動輪１６へ伝達される。
【００２９】
車両１０は、エンジン１２、動力伝達装置１４などの制御に関連する車両１０の制御装置を含むコントローラとしての電子制御装置９０を備えている。電子制御装置９０は、例えばＣＰＵ、ＲＡＭ、ＲＯＭ、入出力インターフェース等を備えた所謂マイクロコンピュータを含んで構成されており、ＣＰＵはＲＡＭの一時記憶機能を利用しつつ予めＲＯＭに記憶されたプログラムに従って信号処理を行うことにより車両１０の各種制御を実行する。例えば、電子制御装置９０は、エンジン１２、第１回転機ＭＧ１、及び第２回転機ＭＧ２の各出力制御、後述する走行モードの切替制御等を実行するようになっており、必要に応じてエンジン制御用、回転機制御用、油圧制御用等に分けて構成される。
【００３０】
電子制御装置９０には、車両１０に備えられた各種センサ等（例えばエンジン回転速度センサ７０、出力回転速度センサ７２、レゾルバ等のＭＧ１回転速度センサ７４、レゾルバ等のＭＧ２回転速度センサ７６、アクセル開度センサ７８、シフトポジションセンサ８０、バッテリセンサ８２など）による検出値に基づく各種信号等（例えばエンジン回転速度Ｎe、車速Ｖに対応する出力軸２４の回転速度である出力回転速度Ｎo、ＭＧ１回転速度Ｎg、ＭＧ２回転速度Ｎm、アクセル開度θacc、「Ｐ」，「Ｒ」，「Ｎ」，「Ｄ」等のシフトレバーの操作位置（シフトポジション）POSsh、バッテリユニット５２のバッテリ温度ＴＨbatやバッテリ充放電電流Ｉbatやバッテリ電圧Ｖbatなど）が供給される。又、電子制御装置９０からは、車両１０に備えられた各装置（例えばスロットルアクチュエータや燃料噴射装置や点火装置等のエンジン制御装置５４、電力制御ユニット５０、油圧制御回路６０、ＥＯＰ６６など）に各種指令信号（例えばエンジン１２を制御する為のエンジン制御指令信号Ｓe、第１回転機ＭＧ１及び第２回転機ＭＧ２を各々制御する為の回転機制御指令信号Ｓmg、各係合要素（クラッチＣＬ１、ブレーキＢＲ１、クラッチＣＬｃ）の作動状態を制御する為の油圧制御指令信号Ｓp、ＥＯＰ６６を駆動する為のポンプ駆動制御指令信号Ｓopなど）が、それぞれ出力される。尚、電子制御装置９０は、例えばバッテリ充放電電流Ｉbat及びバッテリ電圧Ｖbatなどに基づいてバッテリユニット５２の充電状態を示す値としてのバッテリユニット５２の充電容量ＳＯＣ（バッテリ容量ＳＯＣともいう）を算出する。
【００３１】
電子制御装置９０は、車両１０における各種制御の為の制御機能を実現する為に、ハイブリッド制御手段すなわちハイブリッド制御部９２、及び動力伝達切替手段すなわち動力伝達切替部９４を備えている。
【００３２】
ハイブリッド制御部９２は、電子スロットル弁を開閉制御し、燃料噴射量や噴射時期を制御し、点火時期を制御するエンジン制御指令信号Ｓeを出力して、エンジントルクＴeの目標トルクが得られるようにエンジン１２の出力制御を実行する。又、ハイブリッド制御部９２は、第１回転機ＭＧ１や第２回転機ＭＧ２の作動を制御する回転機制御指令信号Ｓmgを電力制御ユニット５０へ出力して、ＭＧ１トルクＴgやＭＧ２トルクＴmの目標トルクが得られるように第１回転機ＭＧ１や第２回転機ＭＧ２の出力制御を実行する。
【００３３】
ハイブリッド制御部９２は、アクセル開度θacc及び車速Ｖに基づいて要求駆動トルクを算出し、充電要求値（充電要求パワー）等を考慮して低燃費で排ガス量の少ない運転となるように、エンジン１２、第１回転機ＭＧ１、及び第２回転機ＭＧ２の少なくとも１つから要求駆動トルクを発生させる。
【００３４】
ハイブリッド制御部９２は、走行モードとして、モータ走行（ＥＶ走行）モードと、ハイブリッド走行（ＨＶ走行）モード（エンジン走行モードともいう）とを走行状態に応じて選択的に成立させる。ＥＶ走行モードは、エンジン１２の運転を停止した状態で、第１回転機ＭＧ１及び第２回転機ＭＧ２のうちの少なくとも一方の回転機を走行用の動力源として走行するモータ走行を可能とする制御様式である。ＨＶ走行モードは、少なくともエンジン１２を走行用の動力源として走行する（すなわちエンジン１２の動力を駆動輪１６へ伝達して走行する）ＨＶ走行（エンジン走行）を可能とする制御様式である。尚、エンジン１２の動力を第１回転機ＭＧ１の発電によって電力に変換し、専らその電力をバッテリユニット５２に充電するモードのように、車両１０の走行を前提としないモードであっても、エンジン１２を運転した状態とするので、ＨＶ走行モードに含まれる。
【００３５】
動力伝達切替部９４は、ハイブリッド制御部９２により成立させられた走行モードに基づいて、クラッチＣＬ１、ブレーキＢＲ１、及びクラッチＣＬｃのそれぞれの作動状態を制御する。動力伝達切替部９４は、ハイブリッド制御部９２により成立させられた走行モードにて走行する為の動力伝達が可能となるように、クラッチＣＬ１、ブレーキＢＲ１、及びクラッチＣＬｃを各々係合及び／又は解放させる油圧制御指令信号Ｓpを油圧制御回路６０へ出力する。
【００３６】
ここで、車両１０にて実行可能な走行モードについて図３、及び図４−図１８を用いて説明する。図３は、各走行モードにおけるクラッチＣＬ１、ブレーキＢＲ１、及びクラッチＣＬｃの各作動状態を示す図表である。図３の図表中の○印は係合要素（クラッチＣＬ１、ブレーキＢＲ１、クラッチＣＬｃ）の係合を示し、空欄は解放を示し、△印は運転停止状態のエンジン１２を連れ回し状態とするエンジンブレーキ（エンブレともいう）の併用時に、状況に応じて何れか一方を係合すること、又は、両方を係合する場合があることを示している。又、「Ｇ」は回転機（ＭＧ１，ＭＧ２）を主にジェネレータとして機能させることを示し、「Ｍ」は回転機（ＭＧ１，ＭＧ２）を駆動時には主にモータとして機能させ、回生時には主にジェネレータとして機能させることを示している。図３に示すように、車両１０は、走行モードとして、ＥＶ走行モード及びＨＶ走行モードを選択的に実現することができる。ＥＶ走行モードは、第２回転機ＭＧ２を単独の動力源とするモータ走行が可能な制御様式である単独駆動ＥＶモードと、第１回転機及び第２回転機ＭＧ２を動力源とするモータ走行が可能な制御様式である両駆動ＥＶモードとの２つのモードを有している。ＨＶ走行モードは、オーバードライブ（Ｏ／Ｄ）インプットスプリットモード（以下、Ｏ／ＤＨＶモードという）と、アンダードライブ（Ｕ／Ｄ）インプットスプリットモード（以下、Ｕ／ＤＨＶモードという）と、固定段モードとの３つのモードを有している。
【００３７】
図４−図１８は、第１差動機構３８及び第２差動機構４０の各々における各回転要素ＲＥ１−ＲＥ６の回転速度を相対的に表すことができる共線図である。この共線図において、各回転要素の回転速度を表す縦線Ｙ１−Ｙ４は紙面向かって左から順に、縦線Ｙ１は第１回転機ＭＧ１が連結された第４回転要素ＲＥ４である第２サンギヤＳ２の回転速度を、縦線Ｙ２はエンジン１２（図中の「ＥＮＧ」参照）が連結された第１回転要素ＲＥ１である第１キャリアＣ１の回転速度を、縦線Ｙ３はブレーキＢＲ１を介してケース１８に選択的に連結される第２回転要素ＲＥ２である第１リングギヤＲ１の回転速度、及び出力軸２４（図中の「ＯＵＴ」参照）に連結された第５回転要素ＲＥ５である第２キャリアＣ２の回転速度を、縦線Ｙ４は相互に連結された、第３回転要素ＲＥ３である第１サンギヤＳ１及び第６回転要素ＲＥ６である第２リングギヤＲ２の回転速度をそれぞれ示している。出力軸２４にはリダクション機構４４を介して第２回転機ＭＧ２が連結されている。又、白四角印（□）における矢印はＭＧ１トルクＴgを、白丸印（○）における矢印はエンジントルクＴeを、黒丸印（●）における矢印はＭＧ２トルクＴmをそれぞれ示している。又、第１キャリアＣ１と第１リングギヤＲ１とを選択的に連結するクラッチＣＬ１が白抜きで表されたものはクラッチＣＬ１の解放状態を、クラッチＣＬ１がハッチング（斜線）で表されたものはクラッチＣＬ１の係合状態をそれぞれ示している。又、第１リングギヤＲ１をケース１８に選択的に連結するブレーキＢＲ１における白菱形印（◇）はブレーキＢＲ１の解放状態を、黒菱形印（◆）はブレーキＢＲ１の係合状態をそれぞれ示している。又、第１リングギヤＲ１と第２キャリアＣ２とを選択的に連結するクラッチＣＬｃにおける白菱形印（◇）はクラッチＣＬｃの解放状態を、黒菱形印（◆）はクラッチＣＬｃの係合状態をそれぞれ示している。又、第１差動機構３８に関する回転速度を相対的に表す直線は破線で示され、第２差動機構４０に関する回転速度を相対的に表す直線は実線で示されている。尚、黒丸印（●）における矢印は、第１回転機ＭＧ１に分割されたエンジン１２の動力による第１回転機ＭＧ１の発電電力、及び／又は、バッテリユニット５２から供給される電力で駆動される第２回転機ＭＧ２によるＭＧ２トルクＴmであり、エンジン直達トルク分は含まれていない。又、クラッチＣＬｃにおける黒菱形印（◆）は、黒丸印（●）と重なっている為、図中では表されていない。又、縦線Ｙ１、Ｙ２、Ｙ３、Ｙ４の相互の間隔は、差動機構３８，４０の各歯車比ρ１，ρ２に応じて定められている。共線図の縦軸間の関係においてサンギヤとキャリアとの間が「１」に対応する間隔とされるとキャリアとリングギヤとの間が遊星歯車機構の歯車比ρ（＝サンギヤの歯数／リングギヤの歯数）に対応する間隔とされる。
【００３８】
図４および図５は、単独駆動ＥＶモード時の共線図である。単独駆動ＥＶモードは、図３の「通常」に示すように、クラッチＣＬ１、ブレーキＢＲ１、及びクラッチＣＬｃを共に解放した状態で実現される。単独駆動ＥＶモードでは、クラッチＣＬ１及びブレーキＢＲ１が解放されており、第１差動機構３８の差動が許容され、第１差動機構３８はニュートラル状態とされる。ハイブリッド制御部９２は、エンジン１２の運転を停止させると共に、第２回転機ＭＧ２から走行用のＭＧ２トルクＴmを出力させる。図４は、第２回転機ＭＧ２が正回転（すなわち車両１０の前進時における第２キャリアＣ２の回転方向）にて正トルクを出力している前進時の場合である。また、図５は、第２回転機ＭＧ２が負回転（すなわち車両１０の後進時における第２キャリアＣ２の回転方向）にて負トルクを出力している後進時の場合である。車両走行中には、第２回転機ＭＧ２の回転（ここでは駆動輪１６の回転も同意）に連動して出力軸２４に連結された第２キャリアＣ２が回転させられる。単独駆動ＥＶモードでは、更に、クラッチＣＬｃが解放されているので、エンジン１２及び第１回転機ＭＧ１は各々連れ回されず、エンジン回転速度Ｎe及びＭＧ１回転速度Ｎgをゼロとすることができる。これにより、エンジン１２及び第１回転機ＭＧ１における各々の引き摺り損失を低減して電費を向上する（すなわち電力消費を抑制する）ことができる。ハイブリッド制御部９２は、フィードバック制御によりＭＧ１回転速度Ｎgをゼロに維持する。或いは、ハイブリッド制御部９２は、第１回転機ＭＧ１の回転が固定されるように第１回転機ＭＧ１に電流を流す制御（ｄ軸ロック制御）を実行して、ＭＧ１回転速度Ｎgをゼロに維持する。或いは、ＭＧ１トルクＴgをゼロとしても第１回転機ＭＧ１のコギングトルクによりＭＧ１回転速度Ｎgをゼロに維持できるときはＭＧ１トルクＴgを加える必要はない。尚、ＭＧ１回転速度Ｎgをゼロに維持する制御を行っても、第１動力伝達部２０はＭＧ１トルクＴgの反力を取れない中立状態であるので、駆動トルクに影響を与えない。又は、単独駆動ＥＶモードでは、第１回転機ＭＧ１を無負荷として空転させても良い。
【００３９】
図６および図７は、両駆動ＥＶモード時の共線図である。両駆動ＥＶモードは、図３の「両駆動」に示すように、クラッチＣＬ１及びブレーキＢＲ１を係合した状態、且つクラッチＣＬｃを解放した状態で実現される。両駆動ＥＶモードでは、クラッチＣＬ１及びブレーキＢＲ１が係合されており、第１差動機構３８の差動が規制され、第１リングギヤＲ１の回転が停止させられる。その為、第１差動機構３８は何れの回転要素も回転が停止させられ、第１差動機構３８は内部ロック状態とされる。これによって、エンジン１２はゼロ回転で停止状態とされ、又、第１サンギヤＳ１に連結された第２リングギヤＲ２もゼロ回転で固定される。第２リングギヤＲ２が回転不能に固定されると、第２リングギヤＲ２にてＭＧ１トルクＴgの反力トルクが取れる為、ＭＧ１トルクＴgに基づくトルクを第２キャリアＣ２から機械的に出力させて駆動輪１６へ伝達することができる。ハイブリッド制御部９２は、エンジン１２の運転を停止させると共に、第１回転機ＭＧ１及び第２回転機ＭＧ２から各々走行用のＭＧ１トルクＴg及びＭＧ２トルクＴmを出力させる。図６は、第１回転機ＭＧ１及び第２回転機ＭＧ２が共に正回転にて正トルクを出力している前進時の場合である。また、図７は、第１回転機ＭＧ１及び第２回転機ＭＧ２が共に負回転にて負トルクを出力している後進時の場合である。
【００４０】
図４から図７を用いた説明で示したように、単独駆動ＥＶモードは第２回転機ＭＧ２のみにて車両１０を駆動し、両駆動ＥＶモードは第１回転機ＭＧ１及び第２回転機ＭＧ２にて車両１０を駆動することが可能である。従って、モータ走行する場合、低負荷時は、単独駆動ＥＶモードが成立させられて第２回転機ＭＧ２による単独走行とされ、高負荷時は、両駆動ＥＶモードが成立させられて第１回転機ＭＧ１及び第２回転機ＭＧ２による両駆動とされる。尚、エンジン走行を含め、車両減速中の回生は、主に第２回転機ＭＧ２にて実行される。
【００４１】
単独駆動ＥＶモードでの走行中に第２回転機ＭＧ２にて回生制御を行う場合、運転が停止されたエンジン１２は連れ回されずゼロ回転で停止状態とされるので、回生量を大きく取ることができる。一方で、単独駆動ＥＶモードでの走行時にバッテリユニット５２が満充電状態であると、回生エネルギーが取れない為、回生ブレーキにて制動トルクを得ることができない。単独駆動ＥＶモードでの走行時に、バッテリユニット５２が満充電状態となり回生エネルギーが取れない場合はエンジンブレーキにて制動トルクを得たり、又は、バッテリユニット５２が満充電に近い状態ではエンジンブレーキを併用することが考えられる。又、別の観点では、単独駆動ＥＶモードでの走行時にバッテリ容量ＳＯＣが低下して第２回転機ＭＧ２へ供給する電力を確保し難くなると、第２回転機ＭＧ２を駆動することができない。単独駆動ＥＶモードでの走行時に、バッテリ容量ＳＯＣが低下した場合はエンジン走行へ切り替えることが考えられる。以上のことから、ＥＶ走行モードでは、エンジンブレーキを速やかに作用させる為の又はエンジン走行へ速やかに切り替える為の準備をしておくスタンバイモード、及びエンジンブレーキを併用するエンブレ併用モードを有している。
【００４２】
図８、図９は、各々、ＥＶ走行モードにおけるスタンバイモード時の共線図である。このスタンバイモードは、図３の「スタンバイモード」に示すように、クラッチＣＬ１又はクラッチＣＬｃを係合した状態で実現される。クラッチＣＬ１又はクラッチＣＬｃが係合されるとエンジン１２は連れ回し状態とされ得るが、このスタンバイモードでは第１回転機ＭＧ１が無負荷で空転させられているので、運転停止中のエンジン１２はゼロ回転で停止状態とされる。従って、このスタンバイモードでは、エンジンブレーキを作用させずに、第２回転機ＭＧ２にてモータ走行又は回生制御を行うことができる。スタンバイモードの状態から、第１回転機ＭＧ１にてエンジン回転速度Ｎeを引き上げてエンジントルクＴe（負値）の反力を第１回転機ＭＧ１にて取ることで、エンジン回転速度Ｎeに応じたエンジンブレーキを作用させることができる。又、スタンバイモードの状態から、第１回転機ＭＧ１にてエンジン回転速度Ｎeを引き上げて点火することで、エンジン走行へ移行することができる。
【００４３】
図８に示すようなクラッチＣＬ１が係合されたスタンバイモードにおける各係合要素（クラッチＣＬ１、ブレーキＢＲ１、クラッチＣＬｃ）の作動状態は、後述するＨＶ走行モードのＵ／ＤＨＶモード時の前進走行における各係合要素の作動状態と同じ状態である。スタンバイモードではエンジン１２は運転されていないが、便宜上、クラッチＣＬ１が係合されたスタンバイモードを、Ｕ／Ｄインプットスプリットでのスタンバイモードと称する。
【００４４】
図９に示すようなクラッチＣＬｃが係合されたスタンバイモードにおける各係合要素の作動状態は、後述するＨＶ走行モードのＯ／ＤＨＶモード時の前進走行における各係合要素の作動状態と同じ状態である。便宜上、クラッチＣＬｃが係合されたスタンバイモードを、Ｏ／Ｄインプットスプリットでのスタンバイモードと称する。
【００４５】
図１０、図１１は、各々、ＥＶ走行モードにおけるエンブレ併用モード時の共線図である。このエンブレ併用モードは、図３の「エンブレ併用」に示すように、クラッチＣＬ１又はクラッチＣＬｃを係合した状態で実現される。クラッチＣＬ１又はクラッチＣＬｃが係合されるとエンジン１２は連れ回し状態とされるので、このエンブレ併用モードでは、第１回転機ＭＧ１にてエンジン回転速度Ｎeを制御しつつエンジントルクＴe（負値）の反力を取ることで、エンジン回転速度Ｎeに応じたエンジンブレーキを作用させることができる。従って、このエンブレ併用モードでは、第２回転機ＭＧ２による回生ブレーキに加えて又は替えて、エンジンブレーキを作用させることができる。尚、クラッチＣＬ１及びクラッチＣＬｃを係合することでもエンジンブレーキを作用させることができる。この場合は、第１回転機ＭＧ１にてエンジントルクＴe（負値）の反力を取る必要はない。クラッチＣＬ１及びクラッチＣＬｃが係合されたエンブレ併用モードにおける各係合要素（クラッチＣＬ１、ブレーキＢＲ１、クラッチＣＬｃ）の作動状態は、後述するＨＶ走行モードの直結固定段モード時における各係合要素の作動状態と同じ状態である。
【００４６】
図１０に示すようなクラッチＣＬ１が係合されたエンブレ併用モードにおける各係合要素（クラッチＣＬ１、ブレーキＢＲ１、クラッチＣＬｃ）の作動状態は、後述するＨＶ走行モードのＵ／ＤＨＶモード時の前進走行における各係合要素の作動状態と同じ状態である。エンブレ併用モードではエンジン１２は運転されていないが、便宜上、クラッチＣＬ１が係合されたエンブレ併用モードを、Ｕ／Ｄインプットスプリットでのエンブレ併用モードと称する。
【００４７】
図１１に示すようなクラッチＣＬｃが係合されたエンブレ併用モードにおける各係合要素の作動状態は、後述するＨＶ走行モードのＯ／ＤＨＶモード時の前進走行における各係合要素の作動状態と同じ状態である。便宜上、クラッチＣＬｃが係合されたエンブレ併用モードを、Ｏ／Ｄインプットスプリットでのエンブレ併用モードと称する。
【００４８】
図１２は、ＨＶ走行モードのＵ／ＤＨＶモード時の前進走行での共線図である。Ｕ／ＤＨＶモードの前進走行（以下、Ｕ／ＤＨＶモード（前進）という）は、図３の「Ｕ／Ｄインプットスプリット」の「前進」に示すように、クラッチＣＬ１を係合した状態、且つブレーキＢＲ１及びクラッチＣＬｃを解放した状態で実現される。Ｕ／ＤＨＶモード（前進）では、クラッチＣＬ１が係合され且つブレーキＢＲ１が解放されており、第１差動機構３８は直結状態とされるので、第１キャリアＣ１に入力されるエンジン１２の動力は、第１サンギヤＳ１に連結された第２リングギヤＲ２に直接的に伝達される。加えて、Ｕ／ＤＨＶモード（前進）では、クラッチＣＬｃが解放されており、第２差動機構４０単独にて電気式無段変速機が構成される。これによって、第１動力伝達部２０では、第２リングギヤＲ２に入力されるエンジン１２の動力を第２サンギヤＳ２と第２キャリアＣ２とに分割することができる。すなわち、第１動力伝達部２０では、第２リングギヤＲ２に入力されるエンジントルクＴeの反力を第１回転機ＭＧ１にて取ることにより、エンジン直達トルクが第２キャリアＣ２へ機械的に伝達されると共に、第１回転機ＭＧ１に分割されたエンジン１２の動力による第１回転機ＭＧ１の発電電力が所定の電気経路を介して第２回転機ＭＧ２に伝達される。ハイブリッド制御部９２は、エンジン１２を駆動（始動）させると共に、エンジントルクＴeに対する反力トルクとなるＭＧ１トルクＴgを第１回転機ＭＧ１の発電により出力させ、第１回転機ＭＧ１の発電電力により第２回転機ＭＧ２からＭＧ２トルクＴmを出力させる。ハイブリッド制御部９２は、第１回転機ＭＧ１の発電電力にバッテリユニット５２から供給される電力を加えて第２回転機ＭＧ２を駆動することもできる。図１２は、第２回転機ＭＧ２が正回転にて正トルクを出力して前進走行している場合である。なお、Ｕ／ＤＨＶモード（前進）は、第１係合要素であるクラッチＣＬ１または第２係合要素であるクラッチＣＬｃのいずれか一方の係合要素すなわち第１係合要素であるクラッチＣＬ１を係合してエンジン１２を駆動させるＨＶ走行モードである。
【００４９】
図１３は、ＨＶ走行モードのＯ／ＤＨＶモード時の前進走行での共線図である。Ｏ／ＤＨＶモードの前進走行（以下、Ｏ／ＤＨＶモード（前進）という）は、図３の「Ｏ／Ｄインプットスプリット」の「前進」に示すように、クラッチＣＬ１及びブレーキＢＲ１を解放した状態、且つクラッチＣＬｃを係合した状態で実現される。Ｏ／ＤＨＶモード（前進）では、クラッチＣＬｃが係合されており、第１差動機構３８と第２差動機構４０とで１つの差動機構が構成される。加えて、Ｏ／ＤＨＶモード（前進）では、クラッチＣＬ１及びブレーキＢＲ１が解放されており、第１差動機構３８と第２差動機構４０との全体にて、第２差動機構４０単独での動力分割比とは異なる動力分割比にて作動する電気式無段変速機が構成される。これによって、第１動力伝達部２０では、第１キャリアＣ１に入力されるエンジン１２の動力を第２サンギヤＳ２と第２キャリアＣ２とに分割することができる。すなわち、第１動力伝達部２０では、第１キャリアＣ１に入力されるエンジントルクＴeの反力を第１回転機ＭＧ１にて取ることにより、エンジン直達トルクが第２キャリアＣ２へ機械的に伝達されると共に、第１回転機ＭＧ１に分割されたエンジン１２の動力による第１回転機ＭＧ１の発電電力が所定の電気経路を介して第２回転機ＭＧ２に伝達される。ハイブリッド制御部９２は、エンジン１２を駆動（始動）させると共に、エンジントルクＴeに対する反力トルクとなるＭＧ１トルクＴgを第１回転機ＭＧ１の発電により出力させ、第１回転機ＭＧ１の発電電力により第２回転機ＭＧ２からＭＧ２トルクＴmを出力させる。図１３は、第２回転機ＭＧ２が正回転にて正トルクを出力している前進時の場合である。なお、Ｏ／ＤＨＶモード（前進）は、第１係合要素であるクラッチＣＬ１または第２係合要素であるクラッチＣＬｃのいずれか他方の係合要素すなわち第２係合要素であるクラッチＣＬｃを係合してエンジン１２を駆動させるＨＶ走行モードである。
【００５０】
図１４は、ＨＶ走行モードのＵ／ＤＨＶモード時の後進走行での共線図であり、電気式無段変速機としての機能を達成している構成に対して、エンジン１２の回転とトルクとが負値に逆転して入力される、エンジン逆転入力の場合である。Ｕ／ＤＨＶモードのエンジン逆転入力での後進走行（以下、Ｕ／ＤＨＶモード逆転入力（後進）という）は、図３の「Ｕ／Ｄインプットスプリット」の「後進」の「エンジン逆転入力」に示すように、ブレーキＢＲ１を係合した状態、且つクラッチＣＬ１及びクラッチＣＬｃを解放した状態で実現される。Ｕ／ＤＨＶモード逆転入力（後進）では、クラッチＣＬ１が解放され且つブレーキＢＲ１が係合されており、第１差動機構３８はエンジン１２の逆回転変速状態とされるので、第１キャリアＣ１に入力されるエンジン１２の動力は、第１サンギヤＳ１に連結された第２リングギヤＲ２に負回転及び負トルクにて伝達される。加えて、Ｕ／ＤＨＶモード逆転入力（後進）では、クラッチＣＬｃが解放されており、第２差動機構４０単独にて電気式無段変速機が構成される。これによって、第１動力伝達部２０では、第２リングギヤＲ２に逆転して入力されるエンジン１２の動力を第２サンギヤＳ２と第２キャリアＣ２とに分割することができる。ハイブリッド制御部９２は、エンジン１２を駆動（始動）させると共に、エンジントルクＴeに対する反力トルクとなるＭＧ１トルクＴgを第１回転機ＭＧ１の力行により出力させ、バッテリユニット５２から供給される電力により第２回転機ＭＧ２からＭＧ２トルクＴmを出力させる。図１４は、第２回転機ＭＧ２が負回転にて負トルクを出力して後進走行している場合である。又、Ｕ／ＤＨＶモード逆転入力（後進）では、エンジン１２の動力が第２リングギヤＲ２に負回転及び負トルクにて伝達されるので、ＭＧ２トルクＴmと合わせて後進走行用の駆動トルクを出すことができる。尚、第１回転機ＭＧ１の力行に用いる電力を発電する為に第２回転機ＭＧ２が負回転にて正トルクを出力しても良く、この場合でも、負トルクとなるエンジン直達トルクの方がＭＧ２トルクＴmよりも絶対値が大きくなることから後進走行が可能である。
【００５１】
図１５は、ＨＶ走行モードのＵ／ＤＨＶモード時の後進走行での共線図であり、エンジン正転入力の場合である。Ｕ／ＤＨＶモードのエンジン正転入力での後進走行（以下、Ｕ／ＤＨＶモード正転入力（後進）という）は、図３の「Ｕ／Ｄインプットスプリット」の「後進」の「エンジン正転入力」に示すように、クラッチＣＬ１を係合した状態、且つブレーキＢＲ１及びクラッチＣＬｃを解放した状態で実現される。Ｕ／ＤＨＶモード正転入力（後進）では、クラッチＣＬ１が係合され且つブレーキＢＲ１が解放されており、第１差動機構３８は直結状態とされるので、第１キャリアＣ１に入力されるエンジン１２の動力は、第１サンギヤＳ１に連結された第２リングギヤＲ２に直接的に伝達される。加えて、Ｕ／ＤＨＶモード正転入力（後進）では、クラッチＣＬｃが解放されており、第２差動機構４０単独にて電気式無段変速機が構成される。これによって、第１動力伝達部２０では、第２リングギヤＲ２に入力されるエンジン１２の動力を第２サンギヤＳ２と第２キャリアＣ２とに分割することができる。ハイブリッド制御部９２は、エンジン１２を運転（駆動）させると共に、エンジントルクＴeに対する反力トルクとなるＭＧ１トルクＴgを第１回転機ＭＧ１の発電により出力させ、第１回転機ＭＧ１の発電電力により第２回転機ＭＧ２からＭＧ２トルクＴmを出力させる。図１５は、第２回転機ＭＧ２が負回転にて負トルクを出力して後進走行している場合である。尚、エンジン直達トルクは正トルクとなるが、第１回転機ＭＧ１の発電電力にて駆動される（又は、第１回転機ＭＧ１の発電電力にバッテリユニット５２から供給される電力を加えて駆動される）第２回転機ＭＧ２の出力トルク（負値（負トルク））はエンジン直達トルクよりも絶対値が大きくなることから後進走行が可能である。
【００５２】
図１６は、ＨＶ走行モードのＯ／ＤＨＶモード時の後進走行での共線図であり、エンジン正転入力の場合である。Ｏ／ＤＨＶモードのエンジン正転入力での後進走行（以下、Ｏ／ＤＨＶモード正転入力（後進）という）は、図３の「Ｏ／Ｄインプットスプリット」の「後進」の「エンジン正転入力」に示すように、クラッチＣＬ１及びブレーキＢＲ１を解放した状態、且つクラッチＣＬｃを係合した状態で実現される。Ｏ／ＤＨＶモード正転入力（後進）では、クラッチＣＬｃが係合されており、第１差動機構３８と第２差動機構４０とで１つの差動機構が構成される。加えて、Ｏ／ＤＨＶモード正転入力（後進）では、クラッチＣＬ１及びブレーキＢＲ１が解放されており、第１差動機構３８と第２差動機構４０との全体にて、第２差動機構４０単独での動力分割比とは異なる動力分割比にて作動する電気式無段変速機が構成される。これによって、第１動力伝達部２０では、第１キャリアＣ１に入力されるエンジン１２の動力を第２サンギヤＳ２と第２キャリアＣ２とに分割することができる。ハイブリッド制御部９２は、エンジン１２を駆動（始動）させると共に、エンジントルクＴeに対する反力トルクとなるＭＧ１トルクＴgを第１回転機ＭＧ１の発電により出力させ、第１回転機ＭＧ１の発電電力により第２回転機ＭＧ２からＭＧ２トルクＴmを出力させる。図１６は、第２回転機ＭＧ２が負回転にて負トルクを出力して後進走行している場合である。尚、エンジン直達トルクは正トルクとなるが、Ｕ／ＤＨＶモード正転入力（後進）の場合と同様に、後進走行が可能である。
【００５３】
図１２−図１６を用いた説明で示したように、Ｕ／ＤＨＶモードとＯ／ＤＨＶモードとでは、電気式無段変速機としての機能を達成している構成に対して、エンジン１２の動力が入力される回転要素が異なっており、第１動力伝達部２０を電気式無段変速機として機能させるときの動力分割比が異なる。すなわち、Ｏ／ＤＨＶモードとＵ／ＤＨＶモードとで、エンジン１２に対する、回転機ＭＧ１，ＭＧ２の各出力トルクや各回転速度の比率が変えられる。クラッチＣＬｃは、エンジン走行中のエンジン１２に対する、回転機ＭＧ１，ＭＧ２の各出力トルクや各回転速度の比率を変更する為に、作動状態が切り替えられる。
【００５４】
ＭＧ１回転速度Ｎgがゼロとされてエンジン１２の動力が電気パス（第１回転機ＭＧ１や第２回転機ＭＧ２の電力授受に関わる電気経路である電気的な動力伝達経路）を介することなく全て機械的に第２キャリアＣ２へ伝達される状態となる所謂メカニカルポイントの状態のときに、エンジン１２の回転が減速されて第２キャリアＣ２から出力されるアンダードライブ状態となる場合がＵ／ＤＨＶモードであり、又、エンジン１２の回転が増速されて第２キャリアＣ２から出力されるオーバードライブ状態となる場合がＯ／ＤＨＶモードである。Ｕ／ＤＨＶモードでのエンジン直達トルクは、エンジントルクＴeに対して増大される。一方で、Ｏ／ＤＨＶモードでのエンジン直達トルクは、エンジントルクＴeに対して減少される。
【００５５】
図１７は、ＨＶ走行モードの固定段モード時の共線図であり、第１差動機構３８及び第２差動機構４０の各回転要素が一体回転させられる、直結の場合である。固定段モードの直結（以下、直結固定段モードという）は、図３の「固定段」の「前進」の「直結」に示すように、クラッチＣＬ１及びクラッチＣＬｃを係合した状態、且つブレーキＢＲ１を解放した状態で実現される。直結固定段モードでは、クラッチＣＬ１が係合され且つブレーキＢＲ１が解放されており、第１差動機構３８は直結状態とされる。加えて、直結固定段モードでは、クラッチＣＬｃが係合されており、第１差動機構３８及び第２差動機構４０の各回転要素が一体回転させられる。これによって、第１動力伝達部２０では、エンジン１２の動力を直接的に第２キャリアＣ２から出力することができる。ハイブリッド制御部９２は、エンジン１２から走行用のエンジントルクＴeを出力させる。この直結固定段モードでは、バッテリユニット５２からの電力にて第１回転機ＭＧ１を駆動して、第１回転機ＭＧ１の動力を直接的に第２キャリアＣ２から出力することもできる。又、この直結固定段モードでは、バッテリユニット５２からの電力にて第２回転機ＭＧ２を駆動して、第２回転機ＭＧ２の動力を駆動輪１６へ伝達することもできる。よって、ハイブリッド制御部９２は、エンジントルクＴeを出力させることに加えて、第１回転機ＭＧ１及び第２回転機ＭＧ２の少なくとも一方の回転機から走行用のトルクを出力させても良い。つまり、直結固定段モードでは、エンジン１２のみで車両１０を駆動しても良いし、又、第１回転機ＭＧ１及び／又は第２回転機ＭＧ２でトルクアシストしても良い。
【００５６】
図１８は、ＨＶ走行モードの固定段モード時の共線図であり、第２キャリアＣ２が回転不能に固定される、出力軸固定の場合である。固定段モードの出力軸固定（以下、出力軸固定段モードという）は、図３の「固定段」の「前進」の「出力軸固定」に示すように、ブレーキＢＲ１及びクラッチＣＬｃを係合した状態、且つクラッチＣＬ１を解放した状態で実現される。出力軸固定段モードでは、クラッチＣＬｃが係合されており、第１差動機構３８と第２差動機構４０とで１つの差動機構が構成される。加えて、出力軸固定段モードでは、ブレーキＢＲ１が係合され且つクラッチＣＬ１が解放されており、第２キャリアＣ２が回転不能に固定される。これによって、第１動力伝達部２０では、第１キャリアＣ１に入力されるエンジン１２の動力の反力を第１回転機ＭＧ１にて取ることができる。従って、出力軸固定段モードでは、エンジン１２の動力による第１回転機ＭＧ１の発電電力をバッテリユニット５２に充電することができる。ハイブリッド制御部９２は、エンジン１２を駆動（始動）させると共に、第１回転機ＭＧ１の発電によってエンジン１２の動力に対する反力を取り、第１回転機ＭＧ１の発電電力を電力制御ユニット５０を介してバッテリユニット５２に充電する。この出力軸固定段モードは、第２キャリアＣ２が回転不能に固定される為、車両１０の停止時にバッテリユニット５２を専ら充電するモードである。図１７、図１８を用いた説明で示したように、ＨＶ走行モードの直結固定段モードや出力軸固定段モードのときには、クラッチＣＬｃが係合される。
【００５７】
第１動力伝達部２０の減速比Ｉ（＝Ｎe／Ｎo）が比較的大きな領域では、エンジンパワーＰeに対するＭＧ１パワーＰgの出力比率（Ｐg／Ｐe）、及びエンジンパワーＰeに対するＭＧ２パワーＰmの出力比率（Ｐm／Ｐe）の各絶対値は、Ｕ／ＤＨＶモードの方がＯ／ＤＨＶモードよりも小さくされる。従って、減速比Ｉが比較的大きな領域では、Ｕ／ＤＨＶモードを成立させることで、ＭＧ１パワーＰgの増大及びＭＧ２パワーＰmの増大を各々抑制することができる。一方で、減速比Ｉが「１」よりも小さいような比較的小さな領域では、出力比率（Ｐm／Ｐe）が負値となり（すなわち出力比率（Ｐg／Ｐe）が正値となり）、出力比率（Ｐg／Ｐe）及び出力比率（Ｐm／Ｐe）の各絶対値は、Ｕ／ＤＨＶモードの方がＯ／ＤＨＶモードよりも大きくされる。出力比率（Ｐm／Ｐe）が負値となる状態（すなわち出力比率（Ｐg／Ｐe）が正値となる状態）は、第２回転機ＭＧ２が発電し、その発電電力が第１回転機ＭＧ１に供給される動力循環状態である。この動力循環状態となることは、できるだけ回避又は抑制されることが望ましい。その為、減速比Ｉが比較的小さな領域では、Ｏ／ＤＨＶモードを成立させることで、動力循環パワーを低減することができる。減速比Ｉに応じてＵ／ＤＨＶモードとＯ／ＤＨＶモードとを切り替えることで、より低出力（低パワー）の回転機ＭＧ１，ＭＧ２でエンジンパワーを伝達することができる。
【００５８】
つまり、比較的大きな減速比Ｉを用いるエンジン１２の高負荷時にＵ／ＤＨＶモードを成立させ、比較的小さな減速比Ｉを用いるエンジン１２の低負荷時又は高車速時にＯ／ＤＨＶモードを成立させるように、Ｕ／ＤＨＶモードとＯ／ＤＨＶモードとを使い分けることで、回転機ＭＧ１，ＭＧ２の各トルクや各回転速度の増加が防止又は抑制され、高車速時には動力循環パワーが低減される。このことは、電気パスにおけるエネルギ変換損失が減り、燃費の向上につながる。又は、回転機ＭＧ１，ＭＧ２の小型化につながる。
【００５９】
図１９及び図２０は、各々、エンジン走行とモータ走行との切替制御に用いる走行モード切替マップの一例を示す図である。これらの走行モード切替マップは、各々、車速Ｖと車両１０の走行負荷（以下、車両負荷という）（例えば要求駆動トルク）とを変数としてエンジン走行領域とモータ走行領域との境界線を有する予め実験的に或いは設計的に求められて記憶された（すなわち予め定められた）関係である。
【００６０】
図１９は、バッテリ容量ＳＯＣを保持した状態で走行するＣＳ（Charge Sustain）走行での動力伝達装置１４の状態遷移（つまり車両１０の走行モードの切替え）を示している。この図１９は、車両１０が、例えばバッテリ容量ＳＯＣが元々比較的少なく設定されたハイブリッド車両等である場合に用いられる。又は、この図１９は、車両１０が、例えばバッテリ容量ＳＯＣが元々比較的多く設定されたプラグインハイブリッド車両、レンジエクステンデッド車両等においてバッテリ容量ＳＯＣを保持するモードが成立された場合に用いられる。一方で、図２０は、バッテリ容量ＳＯＣを消費しながら走行するＣＤ（Charge Depleting）走行での動力伝達装置１４の状態遷移（つまり車両１０の走行モードの切替え）を示している。この図２０は、車両１０が、例えばバッテリ容量ＳＯＣが元々比較的多く設定されたプラグインハイブリッド車両やレンジエクステンデッド車両等においてバッテリ容量ＳＯＣを消費するモードが成立された場合に用いられる。車両１０が、例えばバッテリ容量ＳＯＣが元々比較的少なく設定されたハイブリッド車両等である場合には、この図２０を用いないことが好ましい。
【００６１】
図１９において、高負荷時にはＵ／ＤＨＶモードが成立され、低負荷時又は高車速時にはＯ／ＤＨＶモードが成立され易いように、車速Ｖ及び車両負荷等の走行状態に応じた各走行モードの領域が設定されている。なお、Ｕ／ＤＨＶモードの領域とＯ／ＤＨＶモードの領域との間に直結固定段モードの領域が設定されている。又、バッテリユニット５２の電力持ち出しが可能である場合（或いはエンジン１２の暖機やエンジン１２の運転による各装置の暖機が完了している場合）、エンジン１２の運転効率が悪くなる領域では、モータ走行において第２回転機ＭＧ２の力行を行う。その為、破線に示すような低車速且つ低負荷となる領域で、単独駆動ＥＶモードの領域が設定されている。又、車両負荷が負の場合、Ｕ／ＤＨＶモード又はＯ／ＤＨＶモードにおいて、エンジン１２の負トルクを用いたエンジンブレーキを作用させる減速走行が行われる。バッテリユニット５２の電力受け入れが可能である場合、モータ走行において第２回転機ＭＧ２による回生制御を行う。その為、一点鎖線に示すような車両負荷が負となる領域で、単独駆動ＥＶモードの領域が設定されている。このように設定されたＣＳ走行での走行モード切替マップでは、例えば発進時は、前後進走行共にＵ／ＤＨＶモードが成立させられる。これにより、エンジンパワーＰeをより有効に使える為、発進加速性能が向上する。前進走行で車速Ｖの上昇と共に、第１動力伝達部２０の減速比Ｉが「１」付近になる。この状態で、直結固定段モードに移行させられる。低車速走行では、エンジン回転速度Ｎeが極低回転となる為、Ｕ／ＤＨＶモードから直接Ｏ／ＤＨＶモードに移行させる。直結固定段モードは、回転機ＭＧ１，ＭＧ２を介した動力伝達が無い為、機械エネルギーと電気エネルギーとの変換に伴う熱損失が無くなる。よって、燃費向上や発熱回避に有利である。その為、トーイング等の高負荷時や高車速時は、積極的に直結固定段モードに移行させても良い。尚、モータ走行を選択するスイッチが運転者によって操作されてモータ走行が選択されているときには、破線に示すような領域で単独駆動ＥＶモードが成立させられる。
【００６２】
図２０において、車両負荷が低い領域では単独駆動ＥＶモードが成立され、車両負荷が高い領域では両駆動ＥＶモードが成立されるように、車速Ｖ及び車両負荷等の走行状態に応じた各走行モードの領域が設定されている。両駆動ＥＶモードでは、第１回転機ＭＧ１及び第２回転機ＭＧ２の運転効率に基づいて（例えば電費向上、回転機ＭＧ１，ＭＧ２の温度低下、電力制御ユニット５０の温度低下等を目的として）、第１回転機ＭＧ１と第２回転機ＭＧ２とのパワー分担割合が決められる。又、バッテリユニット５２の最大出力や回転機ＭＧ１，ＭＧ２の最大出力によっては、又は、モータ走行時における車速Ｖの上昇による動力伝達装置１４の何れかの回転要素の回転速度の上昇がエンジン１２を運転することで緩和されるような場合には、図２０に示すように、高負荷領域や高車速領域にてＨＶ走行モードの領域が設定されて、エンジン１２を走行用の動力源とした状態に移行させても良い。なお、図２０では、ＨＶ走行モードの領域においてＵ／ＤＨＶモードの領域とＯ／ＤＨＶモードの領域との間に直結固定段モードの領域が設定されている。又、車両負荷が負となる領域では、モータ走行において第２回転機ＭＧ２による回生制御が行われるように、単独駆動ＥＶモードの領域が設定されている。このように設定されたＣＤ走行での走行モード切替マップでは、例えば車速Ｖが上昇すると、回転機ＭＧ１，ＭＧ２、差動機構３８，４０等の各要素の回転速度が増大する為、ＣＳ走行での走行モード切替マップで設定されたようなＨＶ走行モードに移行させて、各要素の回転速度が制限内とされるように制御される。尚、単独駆動ＥＶモードでは、第１回転機ＭＧ１とエンジン１２とが切り離される（つまり第１回転機ＭＧ１とエンジン１２との相互間の動力伝達が遮断される）為、単独駆動ＥＶモードの高車速側の領域を両駆動ＥＶモードよりも高車速側に広げても良い。車両負荷が負となる領域での回生制御は、単独駆動ＥＶモードに替えて、両駆動ＥＶモードとしても良い。又、駆動トルクや車速Ｖに上限を設けて、エンジン１２が始動しないようにして、燃料消費しないようにしても良い。
【００６３】
ハイブリッド制御部９２は、図１９又は図２０に示すような走行モード切替マップに車速Ｖ及び車両負荷（例えば要求駆動トルク）を適用することで、成立させる走行モードが何れの走行モードであるかを判断する。ハイブリッド制御部９２は、判断した走行モードが現在の走行モードである場合には、現在の走行モードをそのまま成立させる一方で、判断した走行モードが現在の走行モードとは異なる場合には、現在の走行モードに替えてその判断した走行モードを成立させる。
【００６４】
ハイブリッド制御部９２は、単独駆動ＥＶモードを成立させた場合には、第２回転機ＭＧ２のみを走行用の動力源とするモータ走行を可能とする。ハイブリッド制御部９２は、両駆動ＥＶモードを成立させた場合には、第１回転機ＭＧ１及び第２回転機ＭＧ２の両方を走行用の動力源とするモータ走行を可能とする。
【００６５】
ハイブリッド制御部９２は、Ｕ／ＤＨＶモード又はＯ／ＤＨＶモードを成立させた場合には、エンジン１２の動力に対する反力を第１回転機ＭＧ１の発電により受け持つことで第２キャリアＣ２にエンジン直達トルクを伝達すると共に第１回転機ＭＧ１の発電電力により第２回転機ＭＧ２を駆動することで駆動輪１６にトルクを伝達して走行するエンジン走行を可能とする。ハイブリッド制御部９２は、Ｕ／ＤＨＶモード又はＯ／ＤＨＶモードでは、公知のエンジン１２の最適燃費線を考慮したエンジン動作点（すなわちエンジン回転速度ＮeとエンジントルクＴeとで表されるエンジン動作点）にてエンジン１２を駆動させる。尚、このＵ／ＤＨＶモード又はＯ／ＤＨＶモードでは、第１回転機ＭＧ１の発電電力にバッテリユニット５２からの電力を加えて第２回転機ＭＧ２を駆動することも可能である。
【００６６】
ハイブリッド制御部９２は、直結固定段モードを成立させた場合には、エンジン１２の動力を直接的に第２キャリアＣ２から出力して走行するエンジン走行を可能とする。ハイブリッド制御部９２は、直結固定段モードでは、エンジン１２の動力に加えて、バッテリユニット５２からの電力にて第１回転機ＭＧ１を駆動して、第１回転機ＭＧ１の動力を直接的に第２キャリアＣ２から出力したり、バッテリユニット５２からの電力にて第２回転機ＭＧ２を駆動して、第２回転機ＭＧ２の動力を駆動輪１６に伝達して走行することも可能である。
【００６７】
ハイブリッド制御部９２は、車両停止時に、バッテリ容量ＳＯＣがバッテリユニット５２の充電が必要であると判断される予め定められた所定容量以下の場合には、出力軸固定段モードを成立させる。ハイブリッド制御部９２は、出力軸固定段モードを成立させた場合には、エンジン１２の動力に対する反力を第１回転機ＭＧ１の発電により受け持つと共に第１回転機ＭＧ１の発電電力を電力制御ユニット５０を介してバッテリユニット５２に充電する。
【００６８】
Ｕ／ＤＨＶモードとＯ／ＤＨＶモードとは、どちらも第１動力伝達部２０が電気式無段変速機として機能させられる。又、第１動力伝達部２０の減速比Ｉが「１」となる状態は、クラッチＣＬ１及びクラッチＣＬｃが共に係合された直結固定段モードの状態（図１７参照）と同等の状態である。従って、ハイブリッド制御部９２は、クラッチＣＬ１が係合されたＵ／ＤＨＶモードと、クラッチＣＬｃが係合されたＯ／ＤＨＶモードとの切替えを、減速比Ｉが「１」の同期状態のときにクラッチＣＬ１とクラッチＣＬｃとの各作動状態を切り替えることで（直結固定段モードと同等の状態を介して）実行する。又は、ハイブリッド制御部９２は、クラッチＣＬ１が係合されたＵ／ＤＨＶモードと、クラッチＣＬｃが係合されたＯ／ＤＨＶモードとの切替えを、クラッチＣＬ１とクラッチＣＬｃとで掴み替えを行う、所謂クラッチツゥクラッチの変速制御にて実行しても良い。
【００６９】
単独駆動ＥＶモードでは、クラッチＣＬ１又はクラッチＣＬｃを係合することで、エンジン１２が連れ回し状態とされる。よって、ハイブリッド制御部９２は、単独駆動ＥＶモードでのモータ走行中にエンジン１２を始動する場合には、クラッチＣＬ１又はクラッチＣＬｃを係合し、エンジン回転速度Ｎeを引き上げて点火する。この際、ハイブリッド制御部９２は、必要に応じて第１回転機ＭＧ１にてエンジン回転速度Ｎeを引き上げても良い。
【００７０】
又は、ハイブリッド制御部９２は、単独駆動ＥＶモードでのモータ走行中にエンジン１２を始動する場合には、エンジン回転速度Ｎeがゼロ［rpm］の状態でクラッチＣＬ１又はクラッチＣＬｃを係合した状態と同じ状態となるように、第１回転機ＭＧ１で差動機構３８，４０の各要素の回転速度を同期制御した後、クラッチＣＬ１を係合した状態と同じ状態ではクラッチＣＬ１を係合し、又は、クラッチＣＬｃを係合した状態と同じ状態ではクラッチＣＬｃを係合し、第１回転機ＭＧ１にてエンジン回転速度Ｎeを引き上げて点火する。つまり、ハイブリッド制御部９２は、単独駆動ＥＶモードでのモータ走行中にエンジン１２を始動する場合には、スタンバイモードを成立させる為の係合要素（クラッチＣＬ１又はクラッチＣＬｃ）は未だ解放されているが差動機構３８，４０の各要素の回転速度はそのスタンバイモードと同等の状態となるように第１回転機ＭＧ１で同期制御した後、そのスタンバイモードを成立させる為の係合要素を係合してスタンバイモードを一旦成立させ、そのスタンバイモードの状態から、第１回転機ＭＧ１にてエンジン回転速度Ｎeを引き上げて点火する。このように、単独駆動ＥＶモードでのモータ走行中にエンジン１２を始動する場合には、スタンバイモードを経由してエンジン走行に移行しても良い。この場合、エンジン走行時の走行モード（Ｕ／ＤＨＶモード又はＯ／ＤＨＶモード）に合わせて、経由するスタンバイモード（Ｕ／Ｄインプットスプリット又はＯ／Ｄインプットスプリット）が成立させられれば良い。
【００７１】
エンジン１２の始動に際して、駆動輪１６に連結された第２キャリアＣ２には、エンジン回転速度Ｎeを上昇させる為の反力として、運転停止中のエンジン１２の回転を引き上げることに伴うエンジン１２の負トルク（エンジン引き込みトルクともいう）が伝達される為、駆動トルクの落ち込みが生じる。ハイブリッド制御部９２は、単独駆動ＥＶモードでのモータ走行中にエンジン１２を始動する場合には、エンジン始動時のショックを抑制する為に、駆動トルクの落ち込みを補償するトルク（反力キャンセルトルクともいう）を第２回転機ＭＧ２により追加で出力させる。
【００７２】
クラッチＣＬ１及びブレーキＢＲ１が係合された状態である両駆動ＥＶモードでは、ブレーキＢＲ１を解放することで、エンジン１２が連れ回し状態とされる。よって、ハイブリッド制御部９２は、両駆動ＥＶモードでのモータ走行中にエンジン１２を始動する場合には、ブレーキＢＲ１を解放した後にクラッチＣＬｃを係合し、エンジン回転速度Ｎeを引き上げて点火する。この際、ハイブリッド制御部９２は、必要に応じて第１回転機ＭＧ１にてエンジン回転速度Ｎeを引き上げても良い。又は、ハイブリッド制御部９２は、両駆動ＥＶモードでのモータ走行中にエンジン１２を始動する場合には、ブレーキＢＲ１を解放し、第１回転機ＭＧ１にてエンジン回転速度Ｎeを引き上げて点火する。又は、両駆動ＥＶモードでは、クラッチＣＬ１及びブレーキＢＲ１を解放することで単独駆動ＥＶモードと同等の状態とされるので、クラッチＣＬ１及びブレーキＢＲ１を解放して、上述した単独駆動ＥＶモードでのエンジン始動を行うことも可能である。ハイブリッド制御部９２は、両駆動ＥＶモードでのモータ走行中にエンジン１２を始動する場合には、反力キャンセルトルクを第２回転機ＭＧ２により追加で出力させる。
【００７３】
ここで、第１係合要素であるクラッチＣＬ１および第２係合要素であるクラッチＣＬｃをそれぞれ解放して第２回転機ＭＧ２の単独駆動で走行する単独回転機走行から、クラッチＣＬ１またはクラッチＣＬｃのいずれか一方のクラッチを係合してエンジン１２を始動させる場合について検討する。本実施例では、例えば、前記単独回転機走行中においてクラッチＣＬ１を係合してエンジン１２を始動させる際に、クラッチＣＬ１で発生する熱量ＱＬが所定値ＱＬ１以上になると予測される場合には、クラッチＣＬ１にかえてクラッチＣＨｃを係合してエンジン１２を始動させるようになっている。なお、電子制御装置９０には、前記単独回転機走行からクラッチＣＬ１およびクラッチＣＬｃのいずれか一方のクラッチを係合してエンジン１２を始動させるために、更に、エンジン始動手段すなわちエンジン始動部９６が備えられている。
【００７４】
エンジン始動部９６は、クラッチＣＬ１およびクラッチＣＬｃをそれぞれ解放して第２回転機ＭＧ２の単独駆動で走行する単独回転機走行中にエンジン始動要求があったか否かを判定する。例えば、エンジン始動部９６は、ハイブリッド制御部９２で単独駆動ＥＶモードが成立され、且つ、第２回転機ＭＧ２の単独駆動によってバッテリユニット５２の充電容量ＳＯＣが所定値Ａ（図２２参照）以下であると判定されると、前記単独回転機走行中にエンジン始動要求があったと判定する。
【００７５】
ハイブリッド制御部９２は、エンジン始動部９６で前記単独回転機走行中にエンジン始動要求があったと判定されると、Ｕ／ＤＨＶモード（前進）が選択すなわちクラッチＣＬ１を係合してエンジン１２を始動させることが選択されているか否かを判定、つまりＵ／ＤＨＶモード（前進）が選択されているかそれともＯ／ＤＨＶモード（前進）が選択すなわちクラッチＣＬｃを係合してエンジン１２を始動させることが選択されているかを判定する。
【００７６】
エンジン始動部９６は、ハイブリッド制御部９２でＵ／ＤＨＶモード（前進）が選択すなわちクラッチＣＬ１を係合してエンジン１２を始動させることが選択されていると判定されると、クラッチＣＬ１を係合（スリップ係合または完全係合）させることによってエンジン回転速度Ｎｅを完爆可能な所定回転速度Ｎｅ１に上昇させるのに必要な熱量ＱＬを算出（推定）し、その算出した熱量ＱＬが許容範囲であるか否かを判定、すなわちその算出した熱量ＱＬが所定値ＱＬ１より小さいか否かを判定する。なお、上記熱量ＱＬは、例えば、クラッチＣＬ１を係合させることによってエンジン回転速度Ｎｅが完爆可能な所定回転速度Ｎｅ１に上昇するまでにクラッチＣＬ１で発生したすべての総熱量、またはクラッチＣＬ１を係合させることによってエンジン回転速度Ｎｅが完爆可能な所定回転速度Ｎｅ１に上昇するまでの単位時間当たりの熱量であり、例えば、上記熱量ＱＬは、クラッチＣＬ１の差回転とクラッチＣＬ１に伝達する伝達トルク（クラッチＣＬ１の係合油圧）とを掛けた値に基づいて算出されるようになっている。なお、エンジン始動部９６は、例えば、走行中の車速Ｖから熱量ＱＬが算出されるマップを用いて、出力回転速度センサ７２から検出される実際の車速Ｖから上記熱量ＱＬを算出するようになっている。また、所定値ＱＬ１は、クラッチＣＬ１を係合させることによってエンジン回転速度Ｎｅが完爆可能な所定回転速度Ｎｅ１に上昇させる際にクラッチＣＬ１で発生する摩擦熱によりクラッチＣＬ１の耐久性が低下する可能性が高まる、予め実験等により設定された熱量ＱＬである。
【００７７】
動力伝達切替部９４は、エンジン始動部９６においてクラッチＣＬ１で発生する熱量ＱＬが許容範囲であると判定されると、ハイブリッド制御部９２でクラッチＣＬ１の差回転すなわち第１キャリアＣ１と第１リングリヤＲ１との差回転が減少するように、つまり第１キャリアＣ１と第１リングギヤＲ１との完全同期が早まるように、第２差動機構４０の第２サンギヤＳ２の回転速度を第１回転機ＭＧ１によって制御させると共に、クラッチＣＬ１の係合を実施する。
【００７８】
ハイブリッド制御部９２は、エンジン始動部９６でクラッチＣＬ１で発生する熱量ＱＬが許容範囲であると判定され且つ動力伝達切替部９４でクラッチＣＬ１の係合が実施されたと判定されて、エンジン回転速度Ｎｅが完爆可能な所定回転速度Ｎｅ１に上昇させられると、エンジン１２の気筒内に燃料を噴射し点火する。これによって、エンジン１２が始動させられて、単独駆動ＥＶモードからＵ／ＤＨＶモード（前進）が達成させられる。
【００７９】
また、エンジン始動部９６は、ハイブリッド制御部９２でＯ／ＤＨＶモード（前進）が選択すなわちクラッチＣＬｃを係合してエンジン１２を始動させることが選択されていると判定されると、クラッチＣＬｃを係合（スリップ係合または完全係合）させることによってエンジン回転速度Ｎｅを完爆可能な所定回転速度Ｎｅ１に上昇させるのに必要な熱量Ｑｃを算出（推定）し、その算出した熱量Ｑｃが許容範囲であるか否かを判定、すなわちその算出した熱量ＱＬが所定値Ｑｃ１より小さいか否かを判定する。なお、上記熱量Ｑｃは、例えば、クラッチＣＬｃを係合させることによってエンジン回転速度Ｎｅが完爆可能な所定回転速度Ｎｅ１に上昇するまでにクラッチＣＬｃで発生したすべての総熱量、またはクラッチＣＬｃを係合させることによってエンジン回転速度Ｎｅが完爆可能な所定回転速度Ｎｅ１に上昇するまでの単位時間当たりの熱量であり、例えば、上記熱量Ｑｃは、クラッチＣＬｃの差回転とクラッチＣＬｃに伝達する伝達トルク（クラッチＣＬｃの係合油圧）とを掛けた値に基づいて算出されるようになっている。なお、エンジン始動部９６は、例えば、走行中の車速Ｖから熱量Ｑｃが算出されるマップを用いて、出力回転速度センサ７２から検出される実際の車速Ｖから上記熱量Ｑｃを算出するようになっている。また、所定値Ｑｃ１は、クラッチＣＬｃを係合させることによってエンジン回転速度Ｎｅが完爆可能な所定回転速度Ｎｅ１に上昇させる際にクラッチＣＬｃで発生する摩擦熱によりクラッチＣＬｃの耐久性が低下する可能性が高まる、予め実験等により設定された熱量Ｑｃである。
【００８０】
動力伝達切替部９４は、エンジン始動部９６においてクラッチＣＬｃで発生する熱量Ｑｃが許容範囲であると判定されると、ハイブリッド制御部９２でクラッチＣＬｃの差回転すなわち第２キャリアＣ２と第１リングリヤＲ１との差回転が減少するように、つまり第２キャリアＣ２と第１リングギヤＲ１との完全同期が早まるように、第２差動機構４０の第２サンギヤＳ２の回転速度を第１回転機ＭＧ１によって制御させると共に、クラッチＣＬｃの係合を実施する。
【００８１】
ハイブリッド制御部９２は、エンジン始動部９６でクラッチＣＬｃで発生する熱量Ｑｃが許容範囲であると判定され且つ動力伝達切替部９４でクラッチＣＬｃの係合が実施されたと判定されて、エンジン回転速度Ｎｅが完爆可能な所定回転速度Ｎｅ１に上昇させられると、エンジン１２の気筒内に燃料を噴射し点火する。これによって、エンジン１２が始動させられて、単独駆動ＥＶモードからＯ／ＤＨＶモード（前進）が達成させられる。
【００８２】
エンジン始動部９６は、ハイブリッド制御部９２でエンジン１２の気筒内に燃料を噴射し点火したと判定され、且つ動力伝達切替部９４でクラッチＣＬｃの係合が完了したと判定されると、エンジン始動部９６で算出された熱量ＱＬが許容範囲ではなくクラッチＣＬ１にかえてクラッチＣＬｃを係合させてエンジン１２を始動させたか否かを判定、すなわちハイブリッド制御部９２で選択されたＵ／ＤＨＶモード（前進）とは異なるＯ／ＤＨＶモード（前進）が達成しているか否かを判定する。例えば、エンジン始動部９６は、前述したエンジン始動部９６で算出されたクラッチＣＬ１の熱量ＱＬが所定値ＱＬ１以上である場合に、ハイブリッド制御部９２で選択されたＵ／ＤＨＶモード（前進）とは異なるＯ／ＤＨＶモード（前進）が達成していると判定する。
【００８３】
動力伝達切替部９４は、エンジン始動部９６でハイブリッド制御部９２において選択されたＵ／ＤＨＶモード（前進）とは異なるＯ／ＤＨＶモード（前進）が達成していると判定されると、Ｏ／ＤＨＶモード（前進）からハイブリッド制御部９２で選択されているＵ／ＤＨＶモード（前進）へ戻すために、クラッチＣＬ１とクラッチＣＬｃとで掴み替えを行う、所謂クラッチツゥクラッチ変速制御を実行する。
【００８４】
ハイブリッド制御部９２は、エンジン始動部９６においてクラッチＣＬ１で発生する熱量ＱＬが許容範囲でないと判定され且つクラッチＣＬｃで発生する熱量Ｑｃが許容範囲でないと判定、すなわちエンジン始動部９６においてクラッチＣＬ１およびクラッチＣＬｃのそれぞれで発生する熱量ＱＬ、Ｑｃが所定値ＱＬ１、Ｑｃ１以上になると判定されると、クラッチＣＬ１またはクラッチＣＬｃの差回転がゼロになるように、第１回転機ＭＧ１によって第１差動機構３８および第２差動機構４０において所定の回転要素の回転速度を同期する同期制御（第１同期制御または第２同期制御）を実施する。例えば、ハイブリッド制御部９２は、ハイブリッド制御部９２でＵ／ＤＨＶモード（前進）が選択すなわちクラッチＣＬ１を係合してエンジン１２を始動させることが選択されている場合に、クラッチＣＬ１の差回転がゼロになるように、すなわちクラッチＣＬ１の差回転が抑制されるように、第１回転機ＭＧ１によって第１キャリアＣ１の回転速度と第１リングギヤＲ１の回転速度とを同期する第１同期制御を実施する。また、例えば、ハイブリッド制御部９２は、そのハイブリッド制御部９２でＯ／ＤＨＶモード（前進）が選択すなわちクラッチＣＬｃを係合してエンジン１２を始動させることが選択されている場合に、クラッチＣＬｃの差回転がゼロになるように、すなわちクラッチＣＬｃの差回転が抑制されるように、第１回転機ＭＧ１によって第２キャリアＣ２の回転速度と第１リングギヤＲ１の回転速度とを同期させる第２同期制御を実施する。
【００８５】
動力伝達切替部９４は、ハイブリッド制御部９２で同期制御（第１同期制御または第２同期制御）が実施されたと判定されてクラッチＣＬ１またはクラッチＣＬｃの差回転が所定値以内になると、クラッチＣＬ１またはクラッチＣＬｃを係合する。例えば、動力伝達切替部９４は、ハイブリッド制御部９２で第１同期制御が実施されたと判定されてクラッチＣＬ１の差回転が所定値以内になると、クラッチＣＬ１を係合する。また、例えば、動力伝達切替部９４は、ハイブリッド制御部９２で第２同期制御が実施されたと判定されてクラッチＣＬｃの差回転が所定値以内になると、クラッチＣＬｃを係合する。
【００８６】
ハイブリッド制御部９２は、ハイブリッド制御部９２で同期制御（第１同期制御または第２同期制御）が実施されたと判定され、且つ動力伝達切替部９４でクラッチＣＬ１またはクラッチＣＬｃが係合されたと判定されると、第１回転機ＭＧ１によってエンジン回転速度Ｎｅを完爆可能な所定回転速度Ｎｅ１に上昇する。また、ハイブリッド制御部９２は、エンジン回転速度Ｎｅが完爆可能な所定回転速度Ｎｅ１に上昇すると、エンジン１２の気筒内に燃料を噴射し点火する。これによって、エンジン１２が始動させられて、単独駆動ＥＶモードからハイブリッド制御部９２で選択されたＵ／ＤＨＶモード（前進）またはＯ／ＤＨＶモード（前進）が達成させられる。
【００８７】
図２１は、電子制御装置９０の制御作動の要部、すなわちクラッチＣＬ１およびクラッチＣＬｃをそれぞれ解放して第２回転機ＭＧ２の単独駆動で走行する単独回転機走行からエンジン１２を始動させる場合における制御作動を説明するフローチャートであり、例えば繰り返し実行される。なお、図２２は、図２１のフローチャートが実行された際のタイムチャートの一例である。
【００８８】
図２１において、先ず、エンジン始動部９６の機能に対応するステップ（以下、ステップを省略する）Ｓ１０において、クラッチＣＬ１およびクラッチＣＬｃをそれぞれ解放して第２回転機ＭＧ２の単独駆動で走行する単独回転機走行中にエンジン始動要求があったか否かが判定される。Ｓ１０の判断が否定される場合には本ルーチンが終了されるが、Ｓ１０の判断が肯定される場合（図２２のｔ１時点）にはハイブリッド制御部９２の機能に対応するＳ２０が実行される。Ｓ２０では、Ｕ／ＤＨＶモード（前進）が選択されているか否かが判定される。Ｓ２０の判断が肯定される場合にはエンジン始動部９６の機能に対応するＳ３０が実行されるが、Ｓ２０の判断が否定される場合すなわちＯ／ＤＨＶモード（前進）が選択されている場合にはエンジン始動部９６の機能に対応するＳ４０が実行される。Ｓ３０では、クラッチＣＬ１を係合させることによってエンジン回転速度Ｎｅが完爆可能な所定回転速度Ｎｅ１に上昇するのに必要な熱量ＱＬが算出され、その算出された熱量ＱＬが許容範囲であるか否かが判定される。Ｓ３０の判断が肯定される場合にはハイブリッド制御部９２および動力伝達切替部９４の機能に対応するＳ５０が実行されるが、Ｓ３０の判断が否定される場合にはＳ４０が実行される。Ｓ５０では、クラッチＣＬ１の差回転が減少するように第２差動機構４０の第２サンギヤＳ２の回転速度が第１回転機ＭＧ１によって制御させられると共に、そのクラッチＣＬ１の係合が実施される。次に、ハイブリッド制御部９２の機能に対応するＳ６０において、Ｓ５０でクラッチＣＬ１が係合されてエンジン回転速度Ｎｅが完爆可能な所定回転速度Ｎｅ１に上昇すると、エンジン１２の気筒内に燃料が噴射され点火させられる。これによって、エンジン１２が始動する。
【００８９】
Ｓ４０では、クラッチＣＬｃを係合させることによってエンジン回転速度Ｎｅが完爆可能な所定回転速度Ｎｅ１に上昇するのに必要な熱量Ｑｃが算出され、その算出された熱量Ｑｃが許容範囲であるか否かが判定される。Ｓ４０の判断が肯定される場合にはハイブリッド制御部９２および動力伝達切替部９４の機能に対応するＳ７０が実行されるが、Ｓ４０の判断が否定される場合すなわちクラッチＣＬ１およびクラッチＣＬｃのそれぞれで発生する熱量ＱＬ、Ｑｃが許容範囲でない場合にはハイブリッド制御部９２の機能に対応するＳ８０が実行される。Ｓ７０では、クラッチＣＬｃの差回転が減少するように第２差動機構４０の第２サンギヤＳ２の回転速度が第１回転機ＭＧ１によって制御させられると共に、クラッチＣＬｃの係合が実施される。次に、ハイブリッド制御部９２の機能に対応するＳ９０において、Ｓ７０でクラッチＣＬｃが係合されてエンジン回転速度Ｎｅが完爆可能な所定回転速度Ｎｅ１に上昇（図２２のｔ２時点）すると、エンジン１２の気筒内に燃料が噴射され点火させられる。これによって、エンジン１２が始動する。次に、エンジン始動部９６の機能に対応するＳ１００において、Ｓ２０で選択されたＵ／ＤＨＶモード（前進）とは異なるＯ／ＤＨＶモード（前進）が達成しているか否かが判定される。Ｓ１００の判断が否定される場合には本ルーチンが終了されるが、Ｓ１００の判断が肯定される場合すなわちＳ３０の判断が否定されている場合には動力伝達切替部９４の機能に対応するＳ１１０が実行される。Ｓ１１０では、Ｓ２０で選択されているＵ／ＤＨＶモード（前進）へ戻すために、クラッチＣＬ１とクラッチＣＬｃとで掴み替えを行う、所謂クラッチツゥクラッチ変速制御が実行される。
【００９０】
Ｓ８０では、Ｓ２０で選択された走行モード（Ｕ／ＤＨＶモード（前進）またはＯ／ＤＨＶモード（前進））に対応するクラッチＣＬ１またはクラッチＣＬｃの差回転がゼロになるように、第１回転機ＭＧ１によって第１差動機構３８および第２差動機構４０において所定の回転要素の回転速度を同期する同期制御（第１同期制御または第２同期制御）が実施される。次に、動力伝達切替部９４およびハイブリッド制御部９２の機能に対応するＳ１２０において、Ｓ８０によってクラッチＣＬ１またはクラッチＣＬｃの差回転が所定値以内になると、クラッチＣＬ１またはクラッチＣＬｃが係合されて、第１回転機ＭＧ１によってエンジン回転速度Ｎｅが完爆可能な所定回転速度Ｎｅ１に上昇させられる。次に、Ｓ６０において、Ｓ１２０でエンジン回転速度Ｎｅが完爆可能な所定回転速度Ｎｅ１に上昇させられると、エンジン１２の気筒内に燃料が噴射され点火させられる。これによって、エンジン１２が始動する。
【００９１】
上述のように、本実施例の動力伝達装置１４の電子制御装置９０によれば、クラッチＣＬ１およびクラッチＣＬｃをそれぞれ解放して第２回転機ＭＧ２の単独駆動で走行する単独回転機走行から、クラッチＣＬ１またはクラッチＣＬｃのいずれか一方のクラッチすなわちクラッチＣＬ１を係合してエンジン１２を始動させる際に、クラッチＣＬ１で発生する熱量ＱＬが所定値ＱＬ１以上の場合には、クラッチＣＬ１またはクラッチＣＬｃのいずれか他方のクラッチすなわちクラッチＣＬｃを係合してエンジン１２を始動させる。このため、クラッチＣＬ１で発生する熱量ＱＬが所定値ＱＬ１以上でありクラッチＣＬ１を係合してエンジン１２を始動させる際にクラッチＣＬ１で発生する摩擦熱によってクラッチＣＬ１の耐久性が低下する可能性が高い場合には、クラッチＣＬｃを係合してエンジン１２が始動させられる。また、クラッチＣＬ１で発生する熱量ＱＬが所定値ＱＬ１より小さくクラッチＣＬ１を係合してエンジン１２を始動させる際にクラッチＣＬ１で発生する摩擦熱によってクラッチＣＬ１の耐久性が低下する可能性が低い場合には、クラッチＣＬ１を係合してエンジン１２が始動させられる。これによって、クラッチＣＬ１の耐久性が低下することを抑制しつつ第２回転機ＭＧ２の単独駆動で走行する単独回転機走行から好適にエンジン１２を始動させることができる。
【００９２】
また、本実施例の動力伝達装置１４の電子制御装置９０によれば、前記単独回転機走行からクラッチＣＬ１を係合してエンジン１２を始動させる際において、クラッチＣＬ１およびクラッチＣＬｃのそれぞれで発生する熱量ＱＬ、Ｑｃが所定値ＱＬ１、Ｑｃ１以上となる場合には、第１回転機ＭＧ１によりクラッチＣＬ１の差回転を抑制させる第１同期制御の実施後にクラッチＣＬ１を係合して、第１回転機ＭＧ１によりエンジン１２を始動させる。このため、クラッチＣＬ１およびクラッチＣＬｃのそれぞれで発生する熱量ＱＬ、Ｑｃが所定値ＱＬ１、Ｑｃ１以上であり、クラッチＣＬ１またはクラッチＣＬｃのクラッチを係合してエンジン１２を始動させる際にクラッチＣＬ１またはクラッチＣＬｃで発生する摩擦熱によってクラッチＣＬ１またはクラッチＣＬｃの耐久性が低下する可能性が高い場合には、前記第１同期制御の実施後にクラッチＣＬ１を係合して第１回転機ＭＧ１によりエンジン１２が始動させられる。
【００９３】
また、本実施例の動力伝達装置１４の電子制御装置９０によれば、前記単独回転機走行からクラッチＣＬｃを係合してエンジン１２を始動させる際において、クラッチＣＬ１およびクラッチＣＬｃのそれぞれで発生する熱量ＱＬ、Ｑｃが所定値ＱＬ１、Ｑｃ１以上となる場合には、第１回転機ＭＧ１によりクラッチＣＬｃの差回転を抑制させる第２同期制御の実施後にクラッチＣＬｃを係合して、第１回転機ＭＧ１によりエンジン１２を始動させる。このため、クラッチＣＬ１およびクラッチＣＬｃのそれぞれで発生する熱量ＱＬ、Ｑｃが所定値ＱＬ１、Ｑｃ１以上であり、クラッチＣＬ１またはクラッチＣＬｃのクラッチを係合してエンジン１２を始動させる際にクラッチＣＬ１またはクラッチＣＬｃで発生する摩擦熱によってクラッチＣＬ１またはクラッチＣＬｃの耐久性が低下する可能性が高い場合には、前記第２同期制御の実施後にクラッチＣＬｃを係合して第１回転機ＭＧ１によりエンジン１２が始動させられる。
【００９４】
以上、本発明の実施例を図面に基づいて詳細に説明したが、本発明はその他の態様においても適用される。
【００９５】
例えば、前述の実施例１では、第１係合要素として、第１回転要素ＲＥ１と第２回転要素ＲＥ２とを選択的に係合するクラッチＣＬ１を例示したが、この態様に限らない。例えば、第１係合要素は、第２回転要素ＲＥ２と第３回転要素ＲＥ３とを選択的に係合するクラッチでも良いし、第１回転要素ＲＥ１と第３回転要素ＲＥ３とを選択的に係合するクラッチでも良い。要は、第１係合要素は、第１回転要素ＲＥ１、第２回転要素ＲＥ２、及び第３回転要素ＲＥ３のうちのいずれか２つの回転要素を係合するクラッチであれば良い。
【００９６】
また、前述の実施例１では、第１差動機構３８及び第２差動機構４０の各々における各回転要素ＲＥ１−ＲＥ６の回転速度を相対的に表すことができる共線図（図４−図１８参照）において、縦線Ｙ１は第１回転機ＭＧ１が連結された第４回転要素ＲＥ４の回転速度を、縦線Ｙ２はエンジン１２が連結された第１回転要素ＲＥ１の回転速度を、縦線Ｙ３はブレーキＢＲ１を介してケース１８に選択的に連結される第２回転要素ＲＥ２の回転速度、及び出力軸２４に連結された第５回転要素ＲＥ５の回転速度を、縦線Ｙ４は相互に連結された、第３回転要素ＲＥ３及び第６回転要素ＲＥ６の回転速度をそれぞれ示していたが、この態様に限らない。例えば、縦線Ｙ１はブレーキＢＲ１を介してケース１８に選択的に連結される第２回転要素ＲＥ２の回転速度、及び第１回転機ＭＧ１が連結された第４回転要素ＲＥ４の回転速度を、縦線Ｙ２はエンジン１２が連結された第１回転要素ＲＥ１の回転速度を、縦線Ｙ３は出力軸２４に連結された第５回転要素ＲＥ５の回転速度を、縦線Ｙ４は相互に連結された、第３回転要素ＲＥ３及び第６回転要素ＲＥ６の回転速度をそれぞれ示す共線図にて各回転要素ＲＥ１−ＲＥ６の回転速度が相対的に表されるように、第１差動機構及び第２差動機構が構成されていても良い。この場合には、クラッチＣＬｃは、第２回転要素ＲＥ２と第４回転要素ＲＥ４とを選択的に係合する第２係合要素である。尚、この場合には、ブレーキＢＲ１を係合した状態で実現される、Ｕ／ＤＨＶモード逆転入力（後進）を成立させることはできない。Ｕ／ＤＨＶモード（前進）において、クラッチＣＬ１を係合した状態で実現される、エンジン回転速度Ｎeが等速で入力されるロー入力の場合と、ブレーキＢＲ１を係合した状態で実現される、エンジン回転速度Ｎeが増速されて入力されるハイ入力の場合とを成立させることができる。
【００９７】
また、前述の実施例では、クラッチＣＬ１を係合した状態で第１走行モード（Ｕ／ＤＨＶモード（前進）、Ｕ／ＤＨＶモード正転入力（後進）、及びＵ／Ｄインプットスプリットでのエンブレ併用モード）が成立させられ、又、クラッチＣＬｃを係合した状態で第２走行モード（Ｏ／ＤＨＶモード（前進）、Ｏ／ＤＨＶモード正転入力（後進）、及びＯ／Ｄインプットスプリットでのエンブレ併用モード）が成立させられたが、この態様に限らない。例えば、クラッチＣＬｃを係合した状態で第１走行モードが成立させられ、又、クラッチＣＬ１を係合した状態で第２走行モードが成立させられるように、第１差動機構及び第２差動機構が構成されていても良い。
【００９８】
この場合には、第１差動機構及び第２差動機構の各々における各回転要素ＲＥ１−ＲＥ６の回転速度を相対的に表すことができる共線図において、縦線Ｙ１は第１回転機ＭＧ１が連結された第４回転要素ＲＥ４の回転速度を、縦線Ｙ２は相互に連結された、第３回転要素ＲＥ３及び第６回転要素ＲＥ６の回転速度を、縦線Ｙ３はブレーキＢＲ１を介してケース１８に選択的に連結される第２回転要素ＲＥ２の回転速度、及び出力軸２４に連結された第５回転要素ＲＥ５の回転速度を、縦線Ｙ４はエンジン１２が連結された第１回転要素ＲＥ１の回転速度をそれぞれ示す。この構成では、クラッチＣＬｃは、第２回転要素ＲＥ２と第５回転要素ＲＥ５とを選択的に係合する第２係合要素である。
【００９９】
或いは、第１差動機構及び第２差動機構の各々における各回転要素ＲＥ１−ＲＥ６の回転速度を相対的に表すことができる共線図において、縦線Ｙ１はブレーキＢＲ１を介してケース１８に選択的に連結される第２回転要素ＲＥ２の回転速度、及び第１回転機ＭＧ１が連結された第４回転要素ＲＥ４の回転速度を、縦線Ｙ２は相互に連結された、第３回転要素ＲＥ３及び第６回転要素ＲＥ６の回転速度を、縦線Ｙ３は出力軸２４に連結された第５回転要素ＲＥ５の回転速度を、縦線Ｙ４はエンジン１２が連結された第１回転要素ＲＥ１の回転速度をそれぞれ示す。この構成では、クラッチＣＬｃは、第２回転要素ＲＥ２と第４回転要素ＲＥ４とを選択的に係合する第２係合要素である。
【０１００】
また、前述の実施例の第１差動機構３８及び第２差動機構４０では、ブレーキＢＲ１が、第２回転要素ＲＥ２すなわち第１リングギヤＲ１を回転不能に固定するような構成であったが、たとえばブレーキが第１回転要素を回転不能に固定するように、第１差動機構及び第２差動機構が構成されていても良い。
【０１０１】
また、前述の実施例１では、第１差動機構３８はダブルピニオン型の遊星歯車機構であり、第２差動機構４０はシングルピニオン型の遊星歯車機構であったが、この態様に限らない。例えば、シングルピニオン型の遊星歯車機構で第１差動機構が構成されていても良い。又は、ダブルピニオン型の遊星歯車機構で第２差動機構が構成されていても良い。
【０１０２】
また、前述の実施例では、クラッチＣＬ１、ブレーキＢＲ１、及びクラッチＣＬｃは、湿式の油圧式摩擦係合装置であったが、電気動力によって作動状態が切り替えられる係合要素であっても良い。
【０１０３】
また、前述の実施例では、車両１０は、ブレーキＢＲ１を備えていたが、ブレーキＢＲ１は、必ずしも備えられている必要はない。ブレーキＢＲ１を備えない車両１０であっても、単独駆動ＥＶモードとＨＶ走行モードとスタンバイモードとを成立させられるし、又、ＨＶ走行モードにおいて、Ｕ／ＤＨＶモードとＯ／ＤＨＶモードとを切り替えることができる。又、車両１０は、第２動力伝達部２２が入力軸３６と同軸心に配置されるような連結関係のギヤトレーンであったが、例えば第２動力伝達部２２が入力軸３６の軸心とは別の軸心上に配置されるような連結関係のギヤトレーンなどであっても良い。又、ＦＲ方式の車両１０に好適に用いられる動力伝達装置１４を用いて発明を説明したが、本発明は、例えばＦＦ方式、ＲＲ方式など他の方式の車両に用いられる動力伝達装置においても適宜適用することができる。
【０１０４】
尚、上述したのはあくまでも一実施形態であり、本発明は当業者の知識に基づいて種々の変更、改良を加えた態様で実施することができる。
【符号の説明】
【０１０５】
１２：エンジン（機関）
１４：動力伝達装置（車両用動力伝達装置）
２４：出力軸
３８：第１差動機構
Ｃ１：第１キャリア（第１回転要素）
Ｒ１：第１リングギヤ（第２回転要素）
Ｓ１：第１サンギヤ（第３回転要素）
４０：第２差動機構
Ｓ２：第２サンギヤ（第４回転要素）
Ｃ２：第２キャリア（第５回転要素）
Ｒ２：第２リングギヤ（第６回転要素）
９０：電子制御装置（制御装置）
９２：ハイブリッド制御部
９４：動力伝達切替部
９６：エンジン始動部
ＣＬ１：クラッチ（第１係合要素）
ＣＬｃ：クラッチ（第２係合要素）
ＭＧ１：第１回転機
ＭＧ２：第２回転機
ＱＬ：熱量
ＱＬ１：所定値
【図１】
2019055719.tif 000003
【図２】
2019055719.tif 000004
【図３】
2019055719.tif 000005
【図４】
2019055719.tif 000006
【図５】
2019055719.tif 000007
【図６】
2019055719.tif 000008
【図７】
2019055719.tif 000009
【図８】
2019055719.tif 000010
【図９】
2019055719.tif 000011
【図１０】
2019055719.tif 000012
【図１１】
2019055719.tif 000013
【図１２】
2019055719.tif 000014
【図１３】
2019055719.tif 000015
【図１４】
2019055719.tif 000016
【図１５】
2019055719.tif 000017
【図１６】
2019055719.tif 000018
【図１７】
2019055719.tif 000019
【図１８】
2019055719.tif 000020
【図１９】
2019055719.tif 000021
【図２０】
2019055719.tif 000022
【図２１】
2019055719.tif 000023
【図２２】
2019055719.tif 000024